(57)【要約】【課題】  遊技領域の広さが固定されているため、液晶ディスプレイの大きさや役物の数などを劇的に変化させ、遊技者に強いインパクトを与えて興味を惹かせることが困難であった。【解決手段】  Ｌ枠遊技機にかかる本体枠２０００には、上部に高さ４７６ｍｍ、左右幅４５１ｍｍを有する大型の遊技板３０００が取り付けられ、下部に流路板５０００が取り付けられている。このため、遊技板３０００に形成される遊技領域３１００を拡大させ、遊技者に強いインパクトを与えることが可能となる。また、本体枠２０００の背面には、制御基板９１００〜９３００を一括して収容する基板ベース９０００が備えられているため、これらの制御基板９１００〜９３００を整理して配置することができ、制御基板９１００〜９３００の交換や点検を行う際の作業性を高めることが可能となる。【選択図】  図２
2010214154.tif 000002
【特許請求の範囲】
【請求項１】
矩形開口を有する外枠と、この矩形開口内にて開閉可能に支持される本体枠と、同本体枠に取り付けられて遊技領域を形成する遊技装置と、同本体枠の前面側にて開閉可能に取り付けられて遊技領域を前面側から覆う前面枠と、同本体枠の背面側に取り付けられて当該遊技機に遊技球を供給する供給路を形成するセット板と、このセット板と個別に形成されるとともに同本体枠の背面側に取り付けられて当該遊技機を制御する複数の制御基板を一括して収容する概略矩形筺形状の基板ベースとを具備することを特徴とする遊技機。
【発明の詳細な説明】
【技術分野】
【０００１】
本発明は、遊技機に関する。
【背景技術】
【０００２】
遊技機の一種として広く使用されているパチンコ遊技機には、一般に、前面側上部に遊技領域が形成され、前面側下部に上皿、下皿および発射ハンドルが配置されている。ここ
にいう遊技領域には、遊技中に刻々と表示や形状が変化する液晶ディスプレイや役物など
が配置されており、上記発射ハンドルにより打ち出された遊技球は、この遊技領域を流下
する。このため、遊技者は、上記遊技領域における変化や遊技球の挙動に注目しながらパ
チンコ遊技を楽しむこととなる。
【０００３】
従来、上記遊技領域は、製造者の相違にかかわらず、直径３８０ｍｍ程度の範囲に固定
されていたため、各製造者は、この固定された遊技領域における表示変化や動きを工夫す
ることにより、遊技者を楽しませるための改良を繰り返していた。
【発明の概要】
【発明が解決しようとする課題】
【０００４】
上述した従来の遊技機においては、遊技領域の広さが固定されているため、液晶ディス
プレイの大きさや役物の数などを劇的に変化させ、遊技者に強いインパクトを与えて興味
を惹かせることが困難であった。
【０００５】
本発明は、上記課題にかんがみてなされたもので、遊技領域の大きさに関して従来の固
定観念を覆し、遊技者の興味をより一層惹かせることが可能な遊技機の提供を目的とする
。
【課題を解決するための手段】
【０００６】
以下、上記目的を達成するのに適した手段について説明する。
【０００７】
手段１：
矩形開口を有する外枠と、この矩形開口内にて開閉可能に支持される本体枠と、同本体
枠に取り付けられて遊技領域を形成する遊技装置と、同本体枠の前面側にて開閉可能に取
り付けられて遊技領域を前面側から覆う前面枠と、同本体枠の背面側に取り付けられて当
該遊技機に遊技球を供給する供給路を形成するセット板と、このセット板と個別に形成さ
れるとともに同本体枠の背面側に取り付けられて当該遊技機を制御する複数の制御基板を
一括して収容する概略矩形筺形状の基板ベースとを具備することを特徴とする遊技機。
【０００８】
手段１によれば、本体枠の背面側には、セット板と個別に形成された概略矩形筺形状の
基板ベースが取り付けられ、この基板ベースに当該遊技機を制御する複数の制御基板がま
とめて収容されている。このため、遊技領域が拡大されたり、抽選手法が複雑化されるな
どして制御基板の数が増えても、これらの制御基板を本体枠の背面側に整理して配置する
ことができ、同制御基板の交換や点検を行う際の作業性を高めることが可能となる。
【０００９】
なお、本発明にかかる遊技機は、遊技球を用いて遊技を行うものであれば良く、上記遊
技領域に向けて遊技球を発射させて遊技を行うパチンコ遊技機であっても良いし、遊技球
の投入により図柄を変化させて遊技を行ういわゆるパチロットであっても良い。
【００１０】
また、上記遊技装置は、上記本体枠に取り付けられて遊技領域を形成するものであれば
良い。ここにいう遊技領域とは、入賞孔や役物などが配置されて遊技球を流下させる領域
や、抽選時などに回転して絵柄を変化させる回転ドラムが配置された領域を広く含むもの
である。この意味で、同遊技装置は、パチンコ遊技機における遊技板や、パチロットにお
ける回転ドラムを含むものである。むろん、例えば、パチロットにおいて、回転ドラムの
代わりに液晶ディスプレイなどを代用して絵柄を変化させる場合には、このような構成も
含むことは言うまでもない。
【００１１】
手段２：
上記手段１に記載の遊技機において、上記本体枠は、上記供給路から供給される遊技球
を流下させる流路を上記遊技装置の下方に流路を備え、上記基板ベースは、同流路の背面
側に配置されることを特徴とする遊技機。
【００１２】
手段２によれば、流路を上記本体枠に配置することで同本体枠の背面側に生じた空きス
ペースを利用し、上記基板ベースを配置することができる。この際、同流路は、上記遊技
装置の下方に設けられるため、上記基板ベースは、上記本体枠の背面側における下方に配
置される。従って、上記制御基板の重みを同本体枠の下方に集中させることで当該遊技機
の姿勢を安定させることが可能となる。
【００１３】
手段３：
上記手段２に記載の遊技機において、上記本体枠には、所定間隔をおいて背面側へ立設
される仕切り板を有する流路板が取り付けられ、上記基板ベースは、同仕切り板の先端部
位に当接させつつ、背面側から同流路板に対向する遮蔽面を備えることを特徴とする遊技
機。
【００１４】
手段３によれば、上記基板ベースが上記本体枠の背面側に取り付けられると、遮蔽面が
上記仕切り板の先端部位に当接するため、上記流路板の板面、同仕切り板の板面および同
遮蔽面により取り囲まれる空間に上記流路が形成される。従って、別部材を用いなくても
、上記基板ベースにおける構成の一部を利用して容易に上記流路を形成することができる
。
【００１５】
手段４：
上記手段１〜手段３のいずれかに記載の遊技機において、上記基板ベースは、上記本体
枠に対して上記セット板よりも下方に取り付けられることを特徴とする遊技機。
【００１６】
手段４によれば、上記基板ベースの上端部位を上記セット板の下端部位よりも下方に位
置させると、上記本体枠に対して上記遊技装置を脱着する際、セット板を脱着したり、開
閉することがあっても、上記基板ベースに干渉しないため、同基板ベースを脱着したり、
開閉する必要がない。このため、セット板を開閉して台替え作業などを行う際の作業効率
が向上する。
【００１７】
また、上記基板ベースの上端部位を上記遊技装置の下端部位よりも下方に位置させると
、上記遊技装置の脱着時に同基板ベースが干渉しない。このため、同遊技装置の交換作業
を行うごとに同基板ベースを開閉したり、脱着する必要がなく、作業性の向上を図ること
が可能となる。
【００１８】
さらに、当該手段４において、各制御基板に接続される配線は、上記セット板や上記遊
技装置よりも下方に集中することとなる。このため、同セット板の開閉時や同遊技装置の
脱着時には、同セット板および遊技装置に配置された各種機器と同制御基板とを接続する
必要最小限の配線を変更するだけで済む。従って、台替え時などに行われる配線の変更作
業を効率良く行う上においても、当該手段４は有用な構成となる。
【００１９】
手段５：
上記手段１〜手段４のいずれかに記載の遊技機において、上記基板ベースの側端部と上
記本体枠の背面との間には、ヒンジが設けられていることを特徴とする遊技機。
【００２０】
手段５によれば、上記基板ベースは、上記本体枠の背面に対して開閉可能に支持される
。すると、同基板ベースに支持される制御基板の交換や点検を行うごとに同基板ベースを
脱着する必要がなくなる。つまり、上記基板ベースを上記本体枠の背面から離間させた状
態で制御基板の脱着や点検を行うことができるため、作業効率を向上させることができる
。
【００２１】
手段６：
上記手段５に記載の遊技機において、上記基板ベースは、鉛直下方へ軸支ピンが延設さ
れた取付部材を備え、上記本体枠は、鉛直方向へ軸支孔を設けた支持部を備えていること
を特徴とする遊技機。
【００２２】
手段６によれば、支持部に設けられた軸支孔に対して鉛直上方から上記軸支ピンを挿入
させると、上記基板ベースの端部が上記本体枠の背面に支持され、同軸支ピンを支軸とし
て同基板ベースは同本体枠に対して開閉可能となる。この際、上記基板ベースには、上記
制御基板が支持されるため、同制御基板の重みにより、同軸支ピンの抜け止めが図られる
。
【００２３】
また、上記軸支ピンを上記軸支孔から上方へ引き抜くだけで上記基板ベースを上記本体
枠から容易に取り外すことが可能となる。従って、同基板ベースを同本体枠から取り外し
て同制御基板の脱着や点検などを行う場合、作業性を一層向上させることができる。
【００２４】
手段７：
上記手段６に記載の遊技機において、上記本体枠は、金属板により構成され、概略コの
字形状に切り込みを入れ、付け根部位を屈曲させて背面位置に立ち上げさせた舌片状の支
持部を備えることを特徴とする遊技機。
【００２５】
手段７によれば、上記軸支ピンとの対向位置にて概略コの字形状に切り込みを入れ、付
け根部位を屈曲させて背面位置に立ち上げさせるとともに、同軸支ピンを挿入可能な軸支
孔を形成した舌片状の支持部に対し、同軸支ピンを挿入して上記基板ベースを上記本体枠
に枢支させる。
【００２６】
従って、別部材を用いることなく、金属板により構成された本体枠自体を加工するだけ
容易に上記基板ベースの支持構造を形成することができるため、製造効率を向上させ、コ
スト削減を図ることが可能となる。
【００２７】
ここにいう舌片は、自身の板面に軸支孔を設けたものであっても良い、先端側から一方
側の板面へ筒状に巻き込んで軸支孔を形成したものであって良く、軸支孔の形態を限定す
るものではない。
【００２８】
手段８：
上記手段１〜手段４のいずれかに記載の遊技機において、上記本体枠は、上記基板ベー
スの上下幅と概略同等な距離だけ鉛直方向に離間させつつ水平方向へ平行に突出し、同基
板ベースの前後幅と概略同等な距離だけ同本体枠の背面から離間した位置にて先端が互い
に近接する側へ屈曲される一対のガイド部材を備えることを特徴とする遊技機。
【００２９】
手段８によれば、上記基板ベースを水平方向から上記ガイド部材の間に圧入する。する
と、同基板ベースは、各ガイド部材の水平面により上下方向への移動が規制され、上記本
体枠の背面と同ガイド部材の屈曲部位とで前後方向への移動が規制されるため、同基板ベ
ースが同本体枠の背面にて支持される。
【００３０】
ここで、上記基板ベースは、水平方向へ力を加えることにより、各ガイド部材の間から
押し出すことができるため、当該手段８は、脱着が容易な構成として有用である。
【００３１】
手段９：
上記手段１〜手段４のいずれかに記載の遊技機において、上記本体枠は、上記基板ベー
スの左右幅と概略同等な距離だけ離間させつつ水平方向へ平行に突出し、下端部位が互い
に近接する側へ屈曲され、同基板ベースの前後幅と概略同等な距離だけ同本体枠の背面か
ら離間した位置で先端が互いに近接する側へ屈曲される一対のガイド部材を備えることを
特徴とする遊技機。
【００３２】
手段９によれば、上記基板ベースを鉛直方向から上記ガイド部材の間に挿入する。する
と、同基板ベースは、各ガイド部材の壁面により左右方向への移動が規制され、上記本体
枠の背面と同ガイド部材の先端における屈曲部位とで前後方向への移動が規制され、同ガ
イド部材の下端における屈曲部位で鉛直下方への移動が規制されるため、同基板ベースが
同本体枠の背面にて支持される。
【００３３】
ここで、上記基板ベースは、鉛直方向へ持ち上げることにより、各ガイド部材の間から
引き出すことができるため、当該手段９は、脱着が容易な構成として有用である。
【００３４】
手段１０：
上記手段８または手段９のいずれかに記載の遊技機において、上記基板ベースと上記ガ
イド部材との間には、同基板ベースの挿入方向へ延設されたガイド突起と、同ガイド突起
を収容して同ガイド突起を同挿入方向へ誘導するガイド溝とが設けられていることを特徴
とする遊技機。
【００３５】
手段１０によれば、上記基板ベースは、挿入方向へ延設されたガイド突起をガイド溝に
収容させ、同ガイド溝に沿って同ガイド突起を誘導させることにより、各ガイド部材の間
に挿入される。すると、各ガイド部材の間への上記基板ベースのスムーズな挿入が可能と
なり、また、各ガイド部材の間における同基板ベースの強固な支持が可能となる。
【００３６】
手段１１：
上記手段１〜手段４のいずれかに記載の遊技機において、上記本体枠は、一端側が背面
に支持され、他端側が鉛直上方へ配向されたフックを備え、上記基板ベースは、鉛直方向
に開口を有する受け部を備えることを特徴とする遊技機。
【００３７】
手段１１によれば、上記基板ベースに設けられた受け部の開口に対し、上記本体枠に支
持されたフックを下方から挿入する。すると、同フックの下端側が同開口の縁部に係合す
るため、同基板ベースが同本体枠に支持される。
【００３８】
この際、上記基板ベースには、制御基板の重みが加わるため、上記フックの抜け止めが
図られる。また、上記基板ベースを上方へ持ち上げて上記フックを上記開口から引き抜く
だけで、同基板ベースを上記本体枠から容易に取り外すことができる。
【００３９】
なお、上記手段８〜手段１１において、上記基板ベースは、上記本体枠の背面に支持さ
れるものであれば良いとの観点から、同本体枠に直接支持されるものであっても良いし、
同本体枠に取り付けられた部材にて間接的に支持されるものであっても良い。
【００４０】
手段１２：
上記手段５〜手段７のいずれかに記載の遊技機において、上記本体枠と上記基板ベース
との間には、上記ヒンジから離間した位置にストッパ構造が形成されることを特徴とする
遊技機。
【００４１】
手段１２によれば、上記基板ベースを上記本体枠の背面に向けて閉じた際、ストッパ構
造により同基板ベースを同本体枠に対してロックすると、同基板ベースは、同本体枠に対
する回転が規制され、同本体枠の背面に近接する位置にて位置規制がなされる。このため
、当該遊技機の使用時には、上記基板ベースを上記本体枠の背面側にてコンパクトに収容
させ、同本体枠の背面側におけるスペースを有効に利用することができる。
【００４２】
手段１３：
上記手段５〜手段７のいずれかに記載の遊技機において、上記本体枠と上記基板ベース
との間には、上記ヒンジから離間した位置に凹凸係合構造が形成されることを特徴とする
遊技機。
【００４３】
手段１３によれば、上記本体枠と上記基板ベースとのいずれかに凸部を形成し、他方に
凹部を形成する。そして、上記凸部を上記凹部に挿入する。すると、上記基板ベースには
装着された制御基板の重みがあるため、同基板ベースに上記凸部がある場合、同凸部の下
面が上記凹部の下面を押圧して同凹部に同凸部が係合される。一方、同基板ベースに上記
凹部がある場合、同凹部の上面が上記凸部の上面を押圧して同凸部に同凹部が係合される
。
【００４４】
従って、上記基板ベースを上記本体枠に対して容易にロックさせることができる。また
、上記基板ベースを鉛直上方へ持ち上げながら同基板ベースを同本体枠の背面から離間さ
せると、容易にロックが解除されて同基板ベースの回転が許容される。
【００４５】
手段１４：
上記手段１〜手段１３のいずれかに記載の遊技機において、上記基板ベースは、制御基
板が収容された概略矩形筺状の基板ボックスを支持することを特徴とする遊技機。
【００４６】
手段１４によれば、上記基板ベースには、制御基板が収容された概略矩形筺状の基板ボ
ックスが支持される。このため、同基板ベースに対して、同基板ボックスを脱着するだけ
制御基板を容易に脱着を行うことができ、作業性を向上させることが可能となる。
【００４７】
手段１５：
上記手段１〜手段１４のいずれかに記載の遊技機において、上記基板ベースは、樹脂材
により構成され、一面側に開口を有する概略矩形筺状の収容スペースを備えるとともに、
同開口付近における壁面にて同開口から平行に一対の切り込みを入れて貫通孔を設けた可
撓片が形成され、上記基板ボックスは、同貫通孔との対向部位に同貫通孔に挿入可能な突
起を備えることを特徴とする遊技機。
【００４８】
手段１５によれば、上記基板ボックスを上記開口から上記収容スペースに収容させる。
このとき、上記基板ボックスの外壁面に設けられた突起が、上記基板ベースの開口付近に
おける壁面にて同開口から平行に一対の切り込みを入れて形成された可撓片に押し当てら
れるため、同可撓片は、同収容スペースから離間する方向へ撓む。
【００４９】
そして、上記突起が上記可撓片に設けられた貫通孔との対向位置に達すると、同突起が
同貫通孔に挿入されるため、同可撓片は、自身の復元力により上記収容スペースの側へ復
帰し、同突起を同貫通孔の内部に保持する。従って、上記基板ボックスは、上記収容スペ
ース内にて確実に保持され、脱落が防止される。
【００５０】
手段１６：
上記手段１〜手段１５のいずれかに記載の遊技機において、上記基板ベースは、上方に
開口を有する概略矩形筺状の収容スペースを備えることを特徴とする遊技機。
【００５１】
手段１６によれば、上記基板ボックスは、上方に開口が設けられた収容スペースに収容
される。このため、同基板ボックスは、自身の重みにより、同収容スペース内に留まり、
同開口からの脱落が防がれる。従って、付加的な構成を設けなくても、上記基板ボックス
を上記収容スペース内に保持させることができる。むろん、上記手段１５のような構成を
併用すれば、同基板ボックスの脱落をより確実に防ぐことが可能となることは言うまでも
ない。
【００５２】
手段１７：
上記手段５〜手段７のいずれかに記載の遊技機において、上記基板ベースは、上記ヒン
ジに近接する側で重い制御基板を支持し、同ヒンジから離間する順に軽い制御基板を支持
することを特徴とする遊技機。
【００５３】
手段１７によれば、上記基板ベースを開閉する際、上記ヒンジから離間した部位の移動
距離が最も長く、同ヒンジに近接した部位の移動距離が最も短くなる。このため、移動距
離が長い部位で軽い制御基板を支持し、移動距離が短い部位で重い制御基板を支持するこ
とにより、上記ヒンジに加わる負荷を低減させることが可能となる。
【００５４】
手段１８：
上記手段１７に記載の遊技機において、上記基板ボックスは、重量に応じて異なる外形
を有し、上記基板ベースは、各基板ボックスの外形に対応した形状の収容スペースを備え
ていることを特徴とする遊技機。
【００５５】
手段１８によれば、上記基板ボックスは、重量に応じてそれぞれ外形が異なるため、こ
の外形に対応した形状の収容スペースにのみ収容が可能となる。従って、上記ヒンジに近
接する側には、重い制御基板が収容された基板ボックスの外形に対応した形状の収容スペ
ースを形成し、同ヒンジから離間する側には、軽い制御基板が収容された基板ボックスの
外形に対応した形状の収容スペースを形成する。このため、位置を間違えることなく、上
記基板ベースに各基板ボックスを支持させることができる。
【００５６】
手段１９：
上記手段１７に記載の遊技機において、上記基板ベースと上記基板ボックスとの間には
、重量に応じて異なる固有の形状を有する係合構造が設けられていることを特徴とする遊
技機。
【００５７】
手段１９によれば、上記係合構造の形状が一致する基板ボックスのみが所定の収容スペ
ースに収容可能となる。従って、位置を間違えることなく、上記基板ベースに各基板ボッ
クスを支持させることができる。
【００５８】
手段２０：
上記手段１〜手段１９のいずれかに記載の遊技機において、上記基板ベースは、台替え
ごとに交換が不要な制御基板を支持することを特徴とする遊技機。
【００５９】
手段２０によれば、台替え時、上記基板ベースに支持された制御基板を交換する必要が
ないため、同基板ベースを開閉したり、脱着する必要がなく、作業性の向上が図られる。
また、上記基板ベースがヒンジにより支持される場合などには、同基板ベースの開閉頻度
を低減させて同ヒンジに加わる負荷を低減させることができる点で有用な構成となる。
【００６０】
手段２１：
上記手段１〜手段２０のいずれかに記載の遊技機において、上記基板ベースには、上記
本体枠の背面と上記制御基板との間に空洞が形成されていることを特徴とする遊技機。
【００６１】
手段２１によれば、遊技球が流下する流路などで発生したノイズが空洞にて減衰される
ため、この種のノイズから上記制御基板を保護することができる。
【００６２】
手段２２：
上記手段１〜手段２１のいずれかに記載の遊技機において、上記基板ベースは、導電材
によりコーティングされていることを特徴とする遊技機。
【００６３】
手段２２によれば、コーティングされた導電材により、制御基板が覆われるため、同制
御基板を周囲で発生するノイズなどから保護することが可能となる。また、上記基板ベー
スを接地部材として利用することができるため、別個に接地部材を配置する必要がなくな
り、構成の簡略化が可能となる。
【００６４】
手段２３：
上記手段１〜手段２１のいずれかに記載の遊技機において、上記基板ベースは、金属製
であることを特徴とする遊技機。
【００６５】
手段２３によれば、金属製の壁面により、制御基板が覆われるため、同制御基板を周囲
で発生するノイズなどから保護することが可能となる。また、上記基板ベースを接地部材
として利用することができるため、別個に接地部材を配置する必要がなくなり、構成の簡
略化が可能となる。
【００６６】
手段２４：
上記手段１〜手段２３のいずれかに記載の遊技機において、上記セット板は、上記供給
路に遊技球を供給する遊技球タンクを備えることを特徴とする遊技機。
【００６７】
手段２４によれば、遊技機島から供給される遊技球を取り込んで上記供給路に供給する
遊技球タンクを上記セット板に配置したため、同遊技球タンクを上記本体枠の背面に対し
て直に配置する必要がなくなる。すると、同遊技球タンクを配置する分だけ同本体枠の背
面に空きスペースが生じるため、この空きスペースを利用して上記遊技装置を容易に大型
化することが可能となる。
【００６８】
手段２５：
上記手段１〜手段２４のいずれかに記載の遊技機において、当該遊技機には、遊技球を
貯留する貯留皿と、上記遊技領域に向けて遊技球を発射する発射機構とが配置されており
、同貯留皿は、同発射機構に供給する遊技球を貯留する上皿と、同上皿の容量を超えた分
の遊技球を貯留する下皿とから構成され、上記本体枠は、同上皿に連通する上皿側流路と
、同下皿に連通する下皿側流路とを備え、上記セット板は、同上皿側流路に供給される遊
技球と同下皿側流路に供給される遊技球とを分流させる分流路を備えていることを特徴と
する遊技機。
【００６９】
手段２５によれば、当該遊技機をパチンコ遊技機に適用することが可能となる。上記セ
ット板は、上記供給路から供給する遊技球を、上皿に連通される上皿側流路に供給される
遊技球と、下皿に連通される下皿側流路に供給される遊技球とを分流路にて分流する。従
って、上記本体枠に設けられた流路にて遊技球を分流させる構成を設ける必要がなくなる
ため、同本体枠の構成を簡略化させ、同本体枠における限られたスペースを有効に利用す
ることができる。
【００７０】
手段２６：
上記手段２５に記載の遊技機において、上記基板ベースは、上記セット板に設けられた
供給路と上記本体枠に設けられた上皿側流路および下皿側流路とを連通する中継流路を備
えていることを特徴とする遊技機。
【００７１】
手段２６によれば、上記セット板の供給路と上記本体枠の上皿側流路および下皿側流路
とが離間する場合であっても、上記基板ベースに設けられた中継流路を介して、同セット
板から同本体枠に遊技球を供給させることができる。このため、上記上皿側流路および下
皿側流路の形成位置を容易に変更することが可能となり、設計上の自由度を高めることが
可能となる。
【００７２】
手段２７：
上記手段２６に記載の遊技機において、上記中継流路は、上記上皿側流路に供給される
遊技球と上記下皿側流路に供給される遊技球とを分流させる分流路を備えていることを特
徴とする遊技機。
【００７３】
手段２７によれば、上記基板ベースは、上記供給路から供給される遊技球を、上皿に連
通される上皿側流路に供給される遊技球と、下皿に連通される下皿側流路に供給される遊
技球とを分流路にて分流する。従って、上記本体枠に設けられた流路にて遊技球を分流さ
せる構成を設ける必要がなくなるため、同本体枠の構成を簡略化させ、同本体枠における
限られたスペースを有効に利用することができる。
【００７４】
手段２８：
上記手段１〜手段２７のいずれかに記載の遊技機において、上記セット板は、導電材に
よりコーティングされていることを特徴とする遊技機。
【００７５】
手段２８によれば、コーティングされた導電材により、上記本体枠の背面が覆われるた
め、同本体枠の背面に配置された制御基板などを周囲で発生するノイズなどから保護する
ことが可能となる。また、上記セット板を接地部材として利用することができるため、別
個に接地部材を配置する必要がなくなり、構成の簡略化が可能となる。
【００７６】
手段２９：
上記手段１〜手段２８のいずれかに記載の遊技機において、上記セット板の側端部と上
記本体枠の背面との間には、ヒンジが設けられていることを特徴とする遊技機。
【００７７】
手段２９によれば、上記セット板は、上記本体枠の背面に対して開閉可能に支持される
。すると、台替え時、上記遊技装置を交換するたびに上記セット板を脱着しなくても、同
セット板を開閉するだけで同遊技装置を容易に露出させ、脱着作業を行うことができる。
【００７８】
手段３０：
上記手段２９に記載の遊技機において、上記セット板は、鉛直下方へ軸支ピンが延設さ
れた取付部材を備え、上記本体枠は、鉛直方向へ軸支孔を設けた支持部を備えていること
を特徴とする遊技機。
【００７９】
手段３０によれば、支持部に設けられた軸支孔に対して鉛直上方から上記軸支ピンを挿
入させると、上記セット板の端部が上記本体枠の背面に支持され、同軸支ピンを支軸とし
て同セット板は同本体枠に対して開閉可能となる。この際、上記セット板は、自身の重み
により、同軸支ピンの抜け止めを図ることができる。  また、上記軸支ピンを上記軸支孔
から上方へ引き抜くだけで上記セット板を上記本体枠から容易に取り外すことが可能とな
る。従って、同セット板を同本体枠から取り外した状態で、上記遊技装置を交換すること
も可能となり、作業性を一層向上させることができる点で有用な構成となる。
【００８０】
手段３１：
上記手段３０に記載の遊技機において、上記本体枠は、金属板により構成され、概略コ
の字形状に切り込みを入れ、付け根部位を屈曲させて背面位置に立ち上げさせた舌片状の
支持部を備えることを特徴とする遊技機。
【００８１】
手段３１によれば、上記軸支ピンとの対向位置にて概略コの字形状に切り込みを入れ、
付け根部位を屈曲させて背面位置に立ち上げさせるとともに、同軸支ピンを挿入可能な軸
支孔を形成した舌片状の支持部に対し、同軸支ピンを挿入して上記セット板を上記本体枠
に枢支させる。
【００８２】
従って、別部材を用いることなく、金属板により構成された本体枠自体を加工するだけ
容易に上記セット板の支持構造を形成することができるため、製造効率を向上させ、コス
ト削減を図ることが可能となる。
【００８３】
ここにいう舌片は、自身の板面に軸支孔を設けたものであっても良い、先端側から一方
側の板面へ筒状に巻き込んで軸支孔を形成したものであって良く、軸支孔の形態を限定す
るものではない。
【００８４】
手段３２：
上記手段２９〜手段３１のいずれかに記載の遊技機において、上記本体枠と上記セット
板との間には、上記ヒンジから離間した位置にストッパ構造が形成されることを特徴とす
る遊技機。
【００８５】
手段３２によれば、上記セット板を上記本体枠の背面に向けて閉じた際、ストッパ構造
により同セット板を同本体枠に対してロックすると、同セット板は、同本体枠に対する回
転が規制され、同本体枠の背面に近接する位置にて位置規制がなされる。このため、当該
遊技機の使用時には、上記セット板を上記本体枠の背面側にてコンパクトに収容させ、同
本体枠の背面側におけるスペースを有効に利用することができる。
【００８６】
手段３３：
上記手段３２に記載の遊技機において、上記ストッパ構造は、上記遊技球タンクの周囲
に配置されることを特徴とする遊技機。
【００８７】
手段３３によれば、上記遊技球タンクには、遊技機島から供給される遊技球を取り込む
ために負荷が加わるが、周囲に配置されたストッパ構造により支持される。このため、上
記セット板の耐久性を向上させる点で有用な構成となる。
【００８８】
手段３４：
上記手段１〜手段３３のいずれかに記載の遊技機において、上記遊技装置の背面には、
メイン基板が配置され、上記セット板は、同メイン基板を露出させつつ、同遊技装置の背
面を覆うことを特徴とする遊技機。
【００８９】
手段３４によれば、上記セット板により上記遊技装置を覆った状態であっても、メイン
基板が背面側に露出されるため、同メイン基板を点検する際、同セット板を開閉する必要
がない。従って、作業性を向上させることが可能な点で有用な構成となる。
【００９０】
ここにいうメイン基板は、当該遊技機に配置される電源基板、発射基板および払い出し
基板などに制御信号を出力するとともに、液晶ディスプレイにおける抽選制御や大当たり
時の役物制御などを行う制御基板である。上記メイン基板は、抽選制御や払い出し制御を
実行している性質上、不正が施される可能性が高く、不正の有無を所定期間ごとに点検す
る必要がある。このため、上記セット板を開閉させることなく、同メイン基板を背面側へ
露出させることが可能な当該構成は有用なものとなる。
【００９１】
手段３５：
上記手段１〜手段３４のいずれかに記載の遊技機において、上記遊技装置の背面には、
音声基板が収容された基板ボックスと、ランプ基板が収容された基板ボックスとが各基板
面を対面させつつ組み付けられ、同基板面を上記遊技装置の背面に直交する方向へ配向さ
せて取り付けられていることを特徴とする遊技機。
【００９２】
手段３５によれば、各基板面を上記遊技装置の背面に直交する方向へ配向させつつ、互
いの基板面を対向させて音声基板とランプ基板が配置されるため、同遊技装置の背面にお
ける省スペース化が図られる。すると、遊技領域の拡大に伴う液晶ディスプレイの大型化
や、役物の数の増加などに応じた機器の配置変更などが容易となる点で有用となる。
【発明の効果】
【００９３】
以上説明したように本発明は、遊技領域の大きさに関して従来の固定観念を覆し、遊技
者の興味をより一層惹かせることが可能な遊技機を提供することができる。
【図面の簡単な説明】
【００９４】
【図１】本実施形態にかかるＬ枠遊技機の外観を示す正面図である。
【図２】Ｌ枠遊技機の外観を示す背面図である。
【図３】本体枠の前面側外観を示す斜視図である。
【図４】本体枠の背面側外観を示す斜視図である。
【図５】変形例にかかる樹脂製カバーを示す斜視図である。
【図６】別の変形例にかかる樹脂製カバーを外枠に取り付ける途中の状況を示す斜視図である。
【図７】図６に示された樹脂製カバーが外枠に取り付けられた際の状況を示す斜視図である。
【図８】変形例にかかる本体枠の側壁を示す斜視図である。
【図９】本体枠に発射機構を取り付けた際の状況を示す斜視図である。
【図１０】本体枠に流路板を取り付けた際の状況を示す斜視図である。
【図１１】流路板の前面側に遮蔽板を取り付ける際の状況を示す斜視図である。
【図１２】本体枠に遊技板を取り付けた際の状況を示す斜視図である。
【図１３】図１２に示された本体枠の背面側を示す斜視図である。
【図１４】遊技板の背面側角部を示す拡大図である。
【図１５】流路板の背面側に遮蔽板を取り付ける際の状況を示す斜視図である。
【図１６】本体枠に前面枠を取り付ける際の状況を示す斜視図である。
【図１７】本体枠に下皿を取り付ける際の状況を示す斜視図である。
【図１８】外枠の前面側外観を示す斜視図である。
【図１９】外枠に本体枠を取り付ける際の状況を示す斜視図である。
【図２０】変形例にかかる外枠を示す斜視図である。
【図２１】Ｌ枠遊技機の外観を示す側面図である。
【図２２】基板ベースの取付位置を説明するための側面図である。
【図２３】基板ベースを本体枠に取り付ける際の状況を示す斜視図である。
【図２４】変形例にかかる基板ベースの取付構造を示す斜視図である。
【図２５】別の変形例にかかる基板ベースの取付構造を示す斜視図である。
【図２６】別の変形例にかかる基板ベースの取付構造を示す斜視図である。
【図２７】別の変形例にかかる基板ベースの取付構造を示す斜視図である。
【図２８】別の変形例にかかる基板ベースの取付構造を示す斜視図である。
【図２９】基板ベースのストッパ構造を示す斜視図である。
【図３０】ストッパ構造の詳細構成を示す断面図である。
【図３１】基板ベースをロックした際のストッパ構造を示す断面図である。
【図３２】基板ベースをロックする構造の変形例を示す断面図である。
【図３３】図３２に示された構造で基板ベースがロックされた際の状況を示す断面図である。
【図３４】基板ベースの外観を示す斜視図である。
【図３５】基板ベースに基板ボックスを挿入する際の可撓片を示す断面図である。
【図３６】基板ベースに基板ボックスが挿入されたときの可撓片を示す断面図である。
【図３７】変形例にかかる基板ベースを示す斜視図である。
【図３８】基板ベースの構成を示す断面図である。
【図３９】セット板の主要構成を示す背面図である。
【図４０】変形例にかかるセット板および基板ベースを示す背面図である。
【図４１】別の変形例にかかるセット板および基板ベースを示す背面図である。
【図４２】音声基板およびランプ基板の取付構造を示す斜視図である。
【図４３】基板ボックスを互いに係合させるための構造を示す斜視図である。
【発明を実施するための形態】
【００９５】
ここでは、下記の順序に従って本発明の実施形態を説明する。
【００９６】
（１）Ｌ枠遊技機の概略説明：
（２）本体枠の説明：
（３）樹脂製カバーの説明：
（４）発射機構、流路板および遊技板の説明：
（５）前面枠と下皿の説明：
（６）外枠の説明：
（７）基板ベースの説明：
（８）セット板の説明：
（９）メイン基板の説明：
（１０）音声基板とランプ基板の説明：
図１は、本実施形態にかかるＬ枠遊技機の外観を正面図により示している。
【００９７】
同図において、金属製外枠１０００は、矩形開口１０００ａを備えており、この矩形開
口１０００ａには、高さ８０８ｍｍ、左右幅５２０ｍｍを有する矩形板状の金属製本体枠
２０００が左端にて枢支されている。
【００９８】
本体枠２０００には、高さ４７６ｍｍ、左右幅４５１ｍｍを有する矩形板状の遊技板３
０００が上部に取り付けられ、遊技球の発射機構４０００と樹脂製流路板５０００とが下
部に取り付けられている。なお、遊技板３０００は、高さ４００ｍｍ以上、左右幅４００
ｍｍ以上の遊技領域３１００を前面に備えている。
【００９９】
遊技板３０００の前面側には、遊技領域３１００を望むガラス枠６１００、ガラス枠６
１００の周囲を取り囲むように配置される装飾ランプ６２００、上皿６３００が設けられ
た樹脂製前面枠６０００が本体枠２０００の左端にて枢支され、前面枠６０００の前方か
ら発射機構４０００に対して発射ハンドル４１００が取り付けられている。流路板５００
０の前面側にて下皿７０００が本体枠２０００に取り付けられている。
【０１００】
図２は、本実施形態にかかるＬ枠遊技機の外観を背面図により示している。
【０１０１】
同図において、遊技板３０００の背面側では、矩形筺状の樹脂製セット板８０００が本
体枠２０００の右端上部にて枢支され、矩形筺状の樹脂製基板ベース９０００が本体枠２
０００の右端下部にて枢支されている。
【０１０２】
（２）本体枠の説明：
図３は、本体枠２０００の前面側外観を斜視図により示し、図４は、本体枠２０００の
背面側外観を斜視図により示している。
【０１０３】
同図において、本体枠は、鋼材をプレス加工して形成される。
【０１０４】
この本体枠２０００は、外枠１０００の矩形開口１０００ａへ収容可能な外形寸法を有
する概略矩形板状の本体部２２００と、本体部２２００の周縁端部から前面側と背面側と
にそれぞれ直交する方向へ延設された側壁２１００とを備えている。
【０１０５】
ここで、前面側に延設された側壁２１００は、前面部２１００の前方周囲を取り囲むよ
うに枠状に形成され、この前面側の側壁２１００に取り囲まれる形で前面枠６０００と下
皿７０００とが本体枠２０００の前面に取り付けられる。
【０１０６】
一方、背面側に延設された側壁２１００は、前面部２１００の後方周囲を取り囲むよう
に枠状に形成され、この背面側の側壁２１００に取り囲まれる形で、遊技板３０００、発
射機構４０００および流路板５０００が本体枠２０００の背面に取り付けられる。
【０１０７】
なお、本体部２２００には、周縁を所定幅ずつ残し、左側下部が一段高くなるように下
部中央付近に段差を設けつつ、概略矩形形状に打ち抜いて開口２２００ａを形成してある
。
【０１０８】
また、開口２２００ａの下端部位は、側壁２１００よりも幅狭で背面側へ直角に屈曲さ
れ、発射機構４０００および流路板５０００の載置面２３００が形成されている。
【０１０９】
本体部２２００の左右両側部における中央には、それぞれ一箇所ずつ遊技板３０００の
支持部２２１０が設けられている。この支持部２２１０は、鉛直上方へ切り込みを入れた
後、水平方向へ切り込みを入れて鉛直下方へ切り込みを入れ、付け根部位にて後方へ直角
に屈曲させた舌片で構成されている。
【０１１０】
図３にて、本体部２２００の左側部における上方と下方とには、それぞれ一箇所ずつ前
面枠６０００の支持部２２２０が設けられている。この支持部２２２０は、鉛直下方へ切
り込みを入れた後、水平方向へ切り込みを入れて鉛直上方へ切り込みを入れ、付け根部位
にて前方へ直角に屈曲させた舌片で構成されている。また、この舌片の中央には、軸支孔
２２２１が形成されている。
【０１１１】
同図にて、本体部２２００の左右側部における下方には、それぞれ一箇所ずつ下皿７０
００の支持部２２３０が設けられている。この支持部２２３０は、鉛直下方へ切り込みを
入れた後、水平方向へ切り込みを入れて鉛直上方へ切り込みを入れ、付け根部位にて前方
へ直角に屈曲させた舌片で構成されている。また、この舌片の中央には、取付孔２２３１
が形成されている。
【０１１２】
図４にて、側壁２１００の右辺における上方と中央付近とには、それぞれ一箇所ずつセ
ット板８０００の支持部２１１０が設けられている。この支持部２１１０は、鉛直上方へ
切り込みを入れた後、水平方向へ切り込みを入れて鉛直下方へ切り込みを入れ、付け根部
位にて対向する側壁に向けて直角に屈曲させた舌片で構成されている。また、この舌片の
中央には、軸支孔２１１１が形成されている。
【０１１３】
同図にて、側壁２１００の右辺における下方には、互いに鉛直方向へ離間させつつ基板
ベース９０００の支持部２２２０が設けられている。この支持部２１２０は、直上方へ切
り込みを入れた後、水平方向へ切り込みを入れて鉛直下方へ
切り込みを入れ、付け根部位にて対向する側壁に向けて直角に屈曲させた舌片で構成され
ている。また、この舌片の中央には、軸支孔２１２１が形成されている。
【０１１４】
（３）樹脂製カバーの説明：
上述したように、本体枠２０００には、側壁２１００に取り囲まれるように、前面枠６
０００や下皿７０００が前面側から取り付けられる。このため、図１に示すように、Ｌ枠
遊技機を前方から眺めた際、側壁２１００の前端部位が肉厚分だけ前面枠６０００や下皿
７０００の周囲に露出する。このように、金属製本体枠２０００の一部が前面側に露出す
ると、遊技者の側から金属光沢が見えるため、それに伴って冷たい印象を与えてしまう。
【０１１５】
そこで、本実施形態にかかる本体枠２０００には、図３に示すように、前端部位に樹脂
製カバー２４１０〜２４４０が装着されている。
【０１１６】
樹脂製カバー２４１０〜２４４０には、側壁２１００の肉厚と概ね同等な幅で背面側に
開口が設けられ、断面コの字形状に形成されている。ここで、樹脂製カバー２４１０，２
４３０は、側壁２１００の上下幅と同等な長さを有しており、前面部２１００の左右に形
成される側壁２１００における前端部位にそれぞれ圧入される。また、樹脂製カバー２４
２０は、側壁２１００の左右幅と同等な長さを有しており、前面部２１００の上下に形成
される側壁２１００における前端部位に圧入される。
【０１１７】
なお、各樹脂製カバー２４１０，２４３０の上端と、樹脂製カバー２４２０の両端とは
、側壁２１００の外側角部に対向する部位から開口隅部に対向する部位に向けて約４５度
の角度で傾斜しており、各端部に設けられた傾斜面どうしを対向させることにより、側壁
２１００の角部を隙間なく覆っている。
【０１１８】
このように、樹脂製カバー２４１０〜２４４０は、側壁２１００の前端部位に圧入され
るにすぎないため、側壁２１００に装着された樹脂製カバー２４１０〜２４４０は、前方
へ引っ張るだけで容易に取り外すことができる。従って、台替え時、本体枠２０００を変
更することなく、本体枠２０００に支持される前面枠６０００や下皿７０００などの色合
いに応じて樹脂製カバー２４１０〜２４４０だけを容易に交換すれば良く、本体枠２００
０を再利用するにあたって有利な構成となる。
【０１１９】
上記説明では、側壁２１００の各辺ごとに樹脂製カバーを装着しているが、側壁２１０
０の前端部位を覆い隠すことができれば良いとの観点から、例えば、図５に示すように、
コの字形状に形成された樹脂製カバーを採用することも可能である。
【０１２０】
すると、樹脂製カバーを装着する際の向きを考えたり、長さの異なる樹脂製カバーから
該当するものを選ぶ必要がなくなるため、作業性の向上を図るにあたって有用な構成とな
る。
【０１２１】
また、本体枠２０００に装着された樹脂製カバーの脱落を防ぐための付加構成を設ける
ことも可能である。例えば、図６に示すように、可撓性を有する素材を用いて樹脂製カバ
ー２４５０を形成し、開口縁部にスリット２４５１を設けるとともに、側壁２１００に外
方へ折り返した舌片２５００を設ける。
【０１２２】
すると、樹脂製カバー２４５０を側壁２１００に装着させる際、樹脂製カバー２４５０
の開口縁部を外方へ撓ませながらスリット２４５１の内部に舌片２５００を収容させるこ
とができる。このとき、撓むことにより変形した開口縁部は、図７に示すように、自身の
復元力により元の形状へ復帰するため、樹脂製カバー２４５０は、スリット２４５１の内
部に舌片２５００を保持することができ、側壁２１００からの脱落が防止される。むろん
、樹脂製カバー２４５０の開口縁部だけを可撓性素材により構成した場合であっても同様
である。
【０１２３】
さらに、本体枠２０００の前側部位には、あらかじめ所定の色を有する樹脂材でコーテ
ィング加工しておいても良い。例えば、赤色の樹脂材でコーティングでしておけば、前面
枠６０００や下皿７０００などが全体的に赤色で構成される機種を選択して台替えを繰り
返していけば、遊技者に対して金属光沢による冷たい印象を与えることなく、色彩を調和
させることができる。同様の観点から、側壁２１００の前側部位に艶消し加工を施すこと
により、金属光沢を解消させることも可能である。
【０１２４】
なお、本体部２２００から前面側に延設された側壁２１００は、周囲から工具を挿入し
て不正行為が行えないようにするなどの観点から設けられている。このため、本体部２２
００の前面周縁に樹脂製の側壁部材２６００を取り付けても良い。例えば、図８に示すよ
うに、本体部２２００の前面周縁に所定間隔で鍵穴状の係合孔２２００ｂを設け、枠状の
側壁部材２６００の背面から突設されて先端が係合孔２２００ｂにおける矩形部位の幅よ
り外径が大きなピン状の係合突起２６１０を係合させることも可能である。
【０１２５】
すなわち、前方から係合突起２６１０の先端を係合孔２６００の円形部位に挿通させ、
この係合突起２６１０を鉛直下方へ移動させるように側壁部材２６００をスライドさせる
。この際、側壁部材２６００の背面から先端の大径部位までの長さを本体部２２００の肉
厚と概ね同等な寸法としておくことで、側壁部材２６００の背面と大径部位とにより、本
体部２２００を前後方向から挟み込むことができる。
【０１２６】
すると、側壁２１００と同様に、本体部２２００の前面側を枠状に覆って不正行為を防
ぐことが可能となる。また、同時に、樹脂製の側壁部材２６００が前面枠６０００および
下皿７０００と外枠との間に介在することになるため、前方からの金属面の露出が防がれ
る。むろん、側壁部材２６００を本体部２２００の各辺ごとに分割して装着することも同
様に可能である。
【０１２７】
（４）発射機構、流路板および遊技板の説明：
図９は、本体枠２０００に発射機構４０００を取り付けた際の前面側外観を斜視図によ
り示している。
【０１２８】
同図において、発射機構４０００は、載置面２３００における前後幅と同等な厚みで左
右方向へ幅広な矩形筺形状に形成された幅広部４０００ａと、幅広部４０００ａの前面に
て一体的に形成され、左右方向へ幅狭な矩形筺形状を有する幅狭部４０００ｂとを備えて
いる。幅狭部４０００ｂの前面には、発射ハンドル４１００のシャフトを回転可能に支持
する軸孔４２００が設けられ、幅狭部４０００ｂの上面には、上皿６３００から誘導され
た遊技球を取り込む取込口４３００と、発射桿により打ち出された遊技球を遊技板３００
０に向けて放出する発射口４４００とが設けられている。
【０１２９】
かかる構成により、幅狭部４０００ｂを開口２２００ａに挿通させつつ、幅広部４００
０ａを本体枠２０００の背面側から取り付ける。このとき、幅広部４０００ａの底面は、
載置面２３００に載置され、幅広部４０００ａの右端部位は、本体部２２００の背面と側
壁２１００の内壁面とに押し当てられる。そして、本体枠２０００の本体部２２００に設
けられたビス孔と、幅広部４０００ａの前面右端に設けられたビス孔とを連通させてビス
止めし、本体枠２０００の載置面２３００に設けられたビス孔と、幅広部４０００ａの底
面に設けられたビス孔とを連通させてビス止めする。すると、幅狭部４０００ｂが開口２
２００ａの前方へ突出した状態で幅広部４０００ａが本体枠２０００に固定される。
【０１３０】
図１０は、本体枠２０００に流路板５０００を取り付けた際の前面側外観を斜視図によ
り示している。
【０１３１】
同図において、流路板５０００は、載置面２３００における前後幅と同等な厚みを有す
るとともに、概略矩形形状に形成され、下端中央が矩形形状に突設されている。
【０１３２】
この流路板５０００は、下端中央に設けられた凸部を発射機構４０００と開口下端にお
ける段差との間に位置合わせしつつ、開口２２００ａの内部に挿入される。この際、流路
板５０００の左右両端は、本体枠２０００の本体部２２００の左右側方部位と側壁２１０
０の左右両辺とに押し当てた状態で、本体部２２００の左右両辺にそれぞれ設けられたビ
ス孔と流路板５０００の前面における左右両端に設けられたビス孔とを連通させてビス止
めされる。
【０１３３】
流路板５０００の左方上端側には、一対の貫通孔５０００ａ，５０００ｂが設けられて
いる。貫通孔５０００ａの周縁部位には、上方および左右側方から貫通孔５０００ａを取
り囲むように前方へ仕切り板５１００が立設されており、この仕切り板５１００は、所定
幅だけ離間されつつ、鉛直下方へ延設された後、中程の高さにて右方へ屈曲し、中央にて
再び鉛直下方へ屈曲するように形成され、下端付近にて一体となっている。
【０１３４】
このように離間されつつ形成される仕切り板５１００の上側壁面は、中程にて分断され
ており、所定幅だけ離間されつつ、逆くの字形状に上方へ延設された仕切り板５１１０の
下端部位に連結されている。なお、この仕切り板５１１０の上端は、上方へ開放され、本
体枠２０００に装着される遊技板３０００の前面位置に対向可能となっている。
【０１３５】
また、貫通孔５０００ｂの周縁部位には、上方および左右側方から貫通孔５０００ｂを
取り囲むように前方へ仕切り板５２００が立設され、この仕切り板５２００は、所定幅だ
け離間させつつ、鉛直下方へ延設された後に一体となっている。
【０１３６】
さらに、流路板５０００の上端中央付近から右側下端に向けては、所定幅だけ離間させ
つつ一対の仕切り板５３００が立設され、下端にて発射機構４０００の発射口４４００に
対向する。仕切り板５３００の右方には、中程の高さから右側下端に向け、同様に所定幅
だけ離間させつつ一対の仕切り板５４００が立設され、下端にて発射機構４０００の取込
口４３００に対向する。
【０１３７】
流路板５０００の前面側には、図１１に示す遮蔽板５０００ｃが取り付けられる。遮蔽
板５０００ｃには、左側上方、右側中央、下端中央にそれぞれ矩形形状の貫通孔５０００
ｃ１〜５０００ｃ３が設けられている。ここで、左側上方に設けられた貫通孔５０００ｃ
１の下端部位が仕切り板５２００の下端に対向し、右側中央に設けられた貫通孔５０００
ｃ２の上端部位が仕切り板５４００の上端に対向し、下端中央に設けられた貫通孔５００
０ｃ３の下端部位が仕切り板５１００の下端に対向する。
【０１３８】
かかる構成により、流路板４０００の前面側においては、仕切り板５１００，５１１０
と遮蔽板５０００ｃとで囲まれた空間が遊技球の下皿用流路となり、貫通孔５０００ａ、
仕切り板５１１０の上端開口、下皿７０００に対向する貫通孔５０００ｃ３を連通させ、
仕切り板５２００と遮蔽板５０００ｃとで囲まれた空間が遊技球の上皿用流路となり、貫
通孔５０００ｂと上皿６３００に対向する貫通孔５０００ｃ１とを連通させる。また、仕
切り板５３００と遮蔽板５０００ｃとで囲まれた空間が遊技球の発射経路となり、仕切り
板５３００の上端開口と下端開口とを連通させ、仕切り板５４００と遮蔽板５０００ｃと
で囲まれた空間が遊技球の供給経路となり、貫通孔５０００ｃ２と仕切り板５４００の下
端開口とを連通させる。
【０１３９】
ここで、下皿用流路は、貫通孔５０００ａから供給された払い出し球と、仕切り板５２
００の上端開口から供給されたファール球とを流下させ、貫通孔５０００ｃ３を介して下
皿７０００へ排出する。上皿用流路は、貫通孔５０００ｂから供給された払い出し球を流
下させ、貫通孔５０００ｃ１を介して上皿６３００に排出する。
【０１４０】
また、発射経路は、発射口４４００から仕切り板５３００の下端開口を介して供給され
た遊技球を上端開口から遊技板３０００の前面位置に放出し、供給経路は、貫通孔５００
０ｃ２から供給された遊技球を流下させて仕切り板５４００の下端開口から取込口４３０
０へ排出する。
【０１４１】
図１２は、本体枠２０００に遊技板３０００を取り付けた際の前面側外観を斜視図によ
り示している。
【０１４２】
同図において、遊技板３０００は、側壁２１００の前後幅よりも肉薄な矩形板状で形成
され、側壁２１００の左右両辺の間隔と同等な左右幅と、本体枠２０００の上端から支持
部２２１０までの高さと同等な上下幅とを有している。このため、遊技板３０００を本体
枠２０００の背面側から開口２２００ａの上側部位に対向させつつ、各支持部２２１０，
２２１０の上面に載置すると、前面における上側縁部と左右両側縁部とが本体部２２００
の背面に押し当てられ、左右側壁面が側壁２１００の内側壁面に押し当てられた状態とな
る。
【０１４３】
このとき、遊技板３０００の前面には、下端中央から右巻きに概略一回転する外枠レー
ル３２００が前方へ立設されており、この外枠レール３２００に取り囲まれる領域が上述
した遊技領域３１００となっている。遊技板３０００の下端中央に位置する外枠レール３
２００の外側端部から左側上部に位置する外枠レール３２００の内側端部までは、所定幅
だけ離間させつつ円弧形状の内側レール３３００が並設されており、外枠レール３２００
の下端と内側レール３３００の下端とは、仕切り板５３００の上端開口に対向している。
このため、発射経路から供給される遊技球は、各レール３２００，３３００の間に形成さ
れた空間を通過して遊技領域３１００に投入される。
【０１４４】
なお、外枠レール３２００は、下端付近にて所定幅で分断されており、この分断位置に
おける上側の端部は、くの字形状を有する分岐レール３２１０の上端に連結されている。
そして、分岐レール３２１０の下端と外枠レール３２００の下端とは、仕切り板５２００
の上端開口に対向している。このため、発射経路から遊技領域３１００に向けて発射され
た遊技球の勢いが弱い場合には、ファール球として分岐レール３２１０の側へ落ち込み、
仕切り板５２００の上端開口を介して下皿側流路へ排出される。
【０１４５】
ここで、遊技板３０００の背面における四隅付近には、図１３および図１４に示すよう
に、前後方向へ配向された回転軸を有する板状のロック片３４００がそれぞれ取り付けら
れている。このロック片３４００は、一端側に回転軸３４１０を備え、他端側に回転軸３
４１０を中心とする接線方向へ直線的に形成された係合部３４２０を備えている。一方、
本体枠２０００の側壁２１００には、係合部３４２０との対向部位に鉛直上下方向へ延び
るスリット状の係合溝２１３０が設けられている。
【０１４６】
かかる構成により、遊技板３０００が本体枠２０００に位置決めされた際、ロック片３
４００の係合部３４２０を側壁２１００の側へ回転させ、係合部３１２０を係合溝２１３
０に挿入させると、遊技板３０００は前後方向への動きが規制される。なお、取り外す場
合には、ロック片３４００を反対方向へ回転させ、係合部３４２０を係合溝２１３０から
退避させるだけで前後方向への動きの規制が解かれるため、容易に取り外すことが可能と
なる。
【０１４７】
図１３において、流路板５０００の背面には、図１０と同様に遊技球の流路を構成する
仕切り板が立設されている。
【０１４８】
右方上部に設けられた貫通孔５０００ａ，５０００ｂの周縁部位には、貫通孔５０００
ａ，５０００ｂを取り囲むように後方へ仕切り板５５００，５６００が立設されている。
【０１４９】
また、流路板の背面には、左上端部位から右方へ延設された後、中心付近にて下側へ約
１８０度屈曲し、中央下部にて鉛直下方へ屈曲する左側壁面と、貫通孔５０００ｂの左方
における上端から鉛直下方へ延設された後、右方へ屈曲して左端付近にて鉛直下方へ屈曲
し、左方へ屈曲して中央下部にて鉛直下方へ屈曲する右側壁面とが中央下端付近にて一体
となっている仕切り板５７００が後方へ立設されている。
【０１５０】
流路板５０００の背面側には、図１５に示す遮蔽板５０００ｄが取り付けられる。遮蔽
板５０００ｄには、右側上方と下端中央にそれぞれ矩形形状の貫通孔５０００ｄ１〜５０
００ｄ３が設けられている。ここで、右側上方に設けられた貫通孔５０００ｄ１，５００
０ｄ２の下端部位が仕切り板５５００，５６００の下端に対向し、下端中央に設けられた
貫通孔５０００ｄ３の下端部位が仕切り板５７００の下端に対向する。
【０１５１】
かかる構成により、流路板５０００の背面側においては、仕切り板５５００を介して貫
通孔５０００ａと貫通孔５０００ｄ１とが連通し、仕切り板５６００を介して貫通孔５０
００ｂと貫通孔５０００ｄ２とが連通する。また、仕切り板５７００と遮蔽板５０００ｄ
とで囲まれた空間が遊技球の排出用流路となり、仕切り板５７００の上端開口と貫通孔５
０００ｄ３とを連通させる。
【０１５２】
ここで、排出用流路は、遊技領域に設けられた入賞孔に投入されたセーフ球と、遊技領
域の下端部位に設けられたアウト孔に投入されたアウト球とを仕切り板５７００の上端開
口から取り込んで流下させ、貫通孔５０００ｄ３を介して、遊技機島の内部に設けられた
遊技球の回収経路に排出させる。
【０１５３】
以上のように、下皿用流路、上皿用流路、発射経路および供給経路を流路板の前面側に
設け、排出用流路を流路板の背面側に設けることにより、本体枠２０００における前後幅
を有効利用することが可能となる。
【０１５４】
（５）前面枠と下皿の説明：
図１６は、本体枠２０００に前面枠６０００を装着する際の状況を斜視図により示して
いる。
【０１５５】
同図において、前面枠６０００の背面には、右端上下にそれぞれ背面側へ突出する板状
の取付部材６０００ａ，６０００ａが組み付けられており、各取付部材６０００ａ，６０
００ａの下面からは、鉛直下方へ軸支ピン６０００ａ１，６０００ａ１が突設されている
。
【０１５６】
かかる構成により、支持部２２２０に設けられた軸支孔２２２１に対して上方から軸支
ピン６０００ａ１を挿入すると、前面枠６０００が軸支ピン６０００ａ１を支軸として回
動可能に支持される。この際、前面枠６０００にはガラス枠６１００、装飾ランプ６２０
０および上皿６３００が配置されているため、自体の重みにより軸支ピン６０００ａ１の
抜け止めが図られる。
【０１５７】
従って、前面枠６０００を取り外す際には、前面枠６０００を鉛直上方へ持ち上げて軸
支ピン６０００ａ１を軸支孔２２２１から引き抜くだけで容易に取り外すことが可能とな
る。なお、図示しないが、使用時には前面枠６０００の背面と本体枠２０００の前面との
間に設けられた鍵構造によりロックされるため、前面枠６０００が本体枠２０００に対し
て確実に支持され、脱着が不能となる。
【０１５８】
ここにいう支持部２２２０は、本体部２２００を折り曲げ加工して形成されたものであ
るため、別個に部材を必要とせず、部品点数の削減を実現可能な点で有用となる。また、
本体枠２０００に一体化された支持部２２２０により、前面枠６０００を支持することが
できるため、強度の向上が図られる点においても有用である。
【０１５９】
図１７は、本体枠２０００に下皿７０００を装着する際の状況を斜視図により示してい
る。
【０１６０】
同図において、下皿７０００の背面には、左右両端にそれぞれ背面側へ突出する板状の
取付部材７０００ａ，７０００ａが組み付けられている。各取付部材７０００ａ，７００
０ａの下面からは、鉛直下方へ取付ピン７０００ａ１，７０００ａ１が突設されている。
【０１６１】
かかる構成により、支持部２２３０に設けられた取付孔２２３１に対して上方から取付
ピン７０００ａ１を挿入すると、取付部材７０００ａが支持部２２３０の上面に載置され
、下皿７０００が本体部２２００に支持される。この際、下皿７０００の左側端部に設け
られた軸孔７１００の前面側から発射ハンドル４１００のシャフトが挿入され、このシャ
フトが発射機構４０００の軸孔４２００に固定されるため、下皿７０００の脱落が防がれ
る。
【０１６２】
ここで、発射ハンドル４１００を発射機構４０００から取り外せば、下皿７０００は、
簡単に持ち上げて取り外すことができるため、台替え時などには好適である。
【０１６３】
ここにいう支持部２２３０は、上述した支持部２２２０と同様に、本体部２２００を折
り曲げ加工して形成されたものであるため、別個に部材を必要とせず、部品点数の削減を
実現可能な点で有用となる。また、本体枠２０００に一体化された支持部２２３０により
、下皿７０００を支持することができるため、強度の向上が図られる点においても有用で
ある。
【０１６４】
（６）外枠の説明：
図１８は、外枠１０００の外観を斜視図により示している。
【０１６５】
同図において、外枠１０００は、鋼材をプレス加工して形成されている。この外枠１０
００は、本体枠２０００の外形寸法よりも僅かに大きな開口１０００ａを備えている。ま
た、開口１０００ａの下方には、上下幅が狭く、開口１０００ａと同等の左右幅を有する
開口１０００ａ１が設けられている。
【０１６６】
外枠１０００の開口１０００ａにおける左側上部と左側下部とには、板面を水平方向へ
配向させつつそれぞれ開口上縁と下縁とから前方へ突出する支持板１１００ａ，１１００
ａが内側壁面に取り付けられており、各支持板１１００ａは、開口縁部から前方へ突出し
た部位に軸支孔１１００ａ１を備えている。
【０１６７】
また、本体枠２０００における側壁２１００の上辺左端と下辺左端とには、図１９に示
すように、前方へ突出する取付板２１４０，２１４０がそれぞれ取り付けられている。各
取付板２１４０には、本体部２２００の前面から前方へ突出した部位に軸支孔２１４１が
設けられている。
【０１６８】
かかる構成により、外枠１０００の開口１０００ａに本体枠２０００が収容された際、
軸支ピン２１４１ａを軸支孔１１００ａ１，２１４１に挿通させ、軸支ピン２１４１ａの
先端に設けられたネジ山に対してナット部材２１４１ｂを螺合させる。すると、軸支ピン
２１４１ａを支軸として本体枠２０００が外枠１０００にて開閉可能に支持される。
【０１６９】
なお、外枠１０００の前端部位は、遊技機島に設置された際、本体枠２０００と遊技機
島との間で前方へ露出されるため、前面枠２０００と同様に、左辺、上辺および右辺に対
して樹脂製カバー１３１０〜１３３０を装着し、金属面の露出を防いでいる。
【０１７０】
また、開口１０００ａ１には、樹脂製カバー１３４０が装着されている。樹脂製カバー
１３４０は、開口１０００ａの下端から外枠１０００の下端までの上下幅と、外枠１００
０の左右幅と同等な長さとを備え、左右両端部を背面側へ直角に屈曲させた板状部材によ
り構成されている。かかる構成により、図＊に示すように、背面側へ屈曲させた左右両端
部位を外枠１０００の外側壁面に対向させつつ、外枠の前方から圧入し、同左右両端部位
を同外枠１０００の外側壁面にビス止めしている。
【０１７１】
外枠１０００の前側部位には、上述した本体枠２０００の場合と同様に、あらかじめ所
定の色を有する樹脂材でコーティング加工しておいても良い。例えば、赤色の樹脂材でコ
ーティングでしておけば、前面枠６０００や下皿７０００などが全体的にに赤色で構成さ
れる機種を選択して台替えを繰り返していけば、遊技者に対して金属光沢による冷たい印
象を与えることなく、色彩を調和させることができる。同様の観点から、外枠１０００の
前側部位に艶消し加工を施すことにより、金属光沢を解消させることも可能である。
【０１７２】
以上のように、金属製の外枠１０００を採用した際、図２０に示すように、開口１００
０ａとともに左右幅を狭めた小型の開口１０００ｂを並設することにより、台間機を収容
させても良い。すると、台間機が金属製の枠体１０００により強固に支持され、Ｌ枠遊技
機と一体化させることが可能となる。従って、Ｌ枠遊技機だけでなく、台間機を含めて遊
技機島全体を台替えごとにデザイン変更してイメージチェンジさせていくことが容易とな
る。
【０１７３】
同様の観点から、外枠１０００の側壁面に台間機を脱着可能な取付構造を設けるなどし
ても良いし、両替機を外枠に収容させたり、外枠１０００の側壁面に脱着可能とすること
も可能である。
【０１７４】
（７）基板ベースの説明：
従来、上皿６３００や下皿７０００などと連通する遊技球の流路は、本体枠２０００の
背面側に取り付けられるセット板に設けられていた。しかし、本実施形態にかかる流路は
、上述したように、本体枠２０００に取り付けられる流路板５０００により構成されてい
るため、本体枠２０００の背面側に空きスペースを確保することができる。
【０１７５】
そこで、本実施形態では、図２および図２１に示すように、流路板５０００の背面側に
生じた空きスペースに基板ベース９０００を取り付け、この基板ベース９０００に各種制
御基板９１００〜９３００を配置している。
【０１７６】
流路板５０００は、遊技領域３１００を流下した遊技球などを誘導するものであること
から、本体枠２０００の下方部位に配置される。このため、流路板５０００の背面側に生
じた空きスペースに取り付けられる基板ベース９０００は、本体枠２０００の下方部位に
設けられることになる。従って、トランスを有する電源基板などを基板ベース９０００に
配置することにより、Ｌ枠遊技機の重心を低くして姿勢を安定させることが容易となる。
【０１７７】
また、基板ベース９０００は、図２２に示すように、流路板５０００の背面側に配置さ
れるため、台替え時に遊技板３０００を交換する際、遊技板３０００が基板ベース９００
０に干渉することがない。従って、台替え時に基板ベース９０００を本体枠２０００の背
面から退避させなくても良いため、作業性を向上させることが可能となる。
【０１７８】
ここで、基板ベース９０００は、図２の右端において本体枠２０００の背面との間に設
けられたヒンジにより支持されており、このヒンジを支軸として、同図における紙面手前
側へ開閉可能となっている。
【０１７９】
図２３は、基板ベース９０００と本体枠２０００との間に設けられたヒンジの概略を斜
視図により示している。
【０１８０】
基板ベース９０００の上下右端には、背面側へ突出する取付部材９０１０がそれぞれ組
み付けられており、各取付部材９０１０の先端側からは、鉛直下方へ軸支ピン９０１１が
延設されている。
【０１８１】
かかる構成により、軸支ピン９０１１を上方から支持部２１２０の軸支孔２１２１に挿
入すると、基板ベース９０００が軸支ピン９０１１を支軸として回動可能に支持される。
この際、基板ベース９０００には制御基板９１００〜９３００が収容されるため、制御基
板９１００〜９３００の重みが軸支ピン９０１１の抜け止めを図る。従って、基板ベース
９０００は、本体枠２０００に対して確実に支持され、基板ベース９０００を取り外す際
には、基板ベース９０００を持ち上げるだけで容易に取り外すことが可能となる。
【０１８２】
なお、図２３に示す構成は一例にすぎず、基板ベース９０００は、本体枠２０００の背
面位置にて支持されるものであれば良いとの観点から、図２４に示すような構成を採用し
ても良い。
【０１８３】
すなわち、遮蔽板５０００ｄの背面に一対のガイド部材５００１，５００１を取り付け
る。各ガイド部材５００１，５００１は、基板ベース９０００の高さよりも僅かに広い間
隔で鉛直方向へ平行に取り付けられており、先端部位５００１ａ，５００１ａは、互いに
対向する方向へ屈曲されている。ここで、遮蔽板５０００ｄの背面から屈曲部位までの長
さは、基板ベース９０００の奥行き寸法よりも僅かに長く設定されている。
【０１８４】
かかる構成により、基板ベース９０００は、各ガイド部材５００１，５００１の間に形
成されるスペースに水平方向から圧入されると、ガイド部材５００１，５００１の先端部
位５００１ａ，５００１ａが角部に係合するため、基板ベース９０００が遮蔽板５０００
ｄの背面に支持される。この際、基板ベース９０００は、ガイド部材５００１，５００１
の間に圧入されるだけで遮蔽板５０００ｄに取り付けられることになるため、脱着時の作
業性が向上する。
【０１８５】
なお、ここにいうガイド部材５００１，５００１は、図２５に示すように、水平方向へ
並行に取り付けても良い。この場合、各ガイド部材５００１，５００１の下端部位５００
１ｂ，５００１ｂを互いに対向する方向へ屈曲させておくことにより、基板ベース９００
０が挿入された際、この下端部位５００１ｂ，５００１ｂが基板ベース９０００の下端角
部に係合するため、基板ベース９０００の脱落が防がれる。
【０１８６】
基板ベース９０００には、上述したように、制御基板９１００〜９３００が装着される
ため、ある程度の重量を有する。従って、基板ベース９０００を各ガイド部材５００１，
５００１の間にあてがうだけで、基板ベース９０００は、自身の重みによりガイド部材５
００１，５００１の間を滑り落ちていく。このため、基板ベース９０００を遮蔽板５００
０ｄに装着させる際の作業性が向上する。
【０１８７】
また、遮蔽板５０００ｄの側だけにガイド構造を設けているが、基板ベース９０００の
側にガイド構造を設けても良い。
【０１８８】
その一例として、図２６では、基板ベース９０００の上下面にそれぞれガイド突起９０
０１，９００１を設け、各ガイド突起９００１，９００１を収容可能なガイド溝５００２
ａ，５００２ａを備えたガイド部材５００２，５００２を遮蔽板５０００ｄに取り付けて
いる。このとき、各ガイド部材５００２，５００２は、基板ベース９０００の高さよりも
僅かに広い間隔で鉛直方向へ平行に取り付けられている。
【０１８９】
かかる構成により、基板ベース９０００は、ガイド突起９００１，９００１をガイド溝
５００２ａ，５００２ａに挿入させつつ、各ガイド部材５００２，５００２の間に形成さ
れるスペースに水平方向から圧入される。すると、ガイド突起９００１，９００１がガイ
ド溝５００２ａ，５００２ａに沿って誘導され、ガイド突起９００１，９００１とがガイ
ド溝５００２ａ，５００２ａとが互いに係合した状態で、基板ベース９０００が遮蔽板５
０００ｄに支持される。従って、基板ベース９０００の脱着が容易になるとともに、基板
ベース９０００が遮蔽板５０００ｄに対して強固に支持される。
【０１９０】
同様の観点から、図２７に示すように、基板ベース９０００の側にガイド溝９００２，
９００２を設け、ガイド部材５００３，５００３の側にガイド突起５００３ａ，５００３
ａを設けることも可能である。すると、上述した場合と同様に、ガイド溝９００２とガイ
ド突起５００３ａとが互いに係合し、基板ベース９０００の強固な支持が可能となる。
【０１９１】
また、各ガイド部材５００２，５００２（５００３，５００３）を水平方向へ平行に配
置しても良く、この場合には、基板ベース９０００あるいはガイド部材５００２，５００
２（５００３，５００３）に設けられるガイド溝を下端部位まで形成せず、途中までとす
る。すると、ガイド溝の終端にてガイド突起が支持されるため、基板ベース９０００の鉛
直下方への脱落が防がれる。
【０１９２】
さらに、基板ベース９０００を本体枠２０００の背面位置に支持させるための別の構成
例として、図２８に示す構造を採用することも可能である。
【０１９３】
同図において、遮蔽板５０００ｄには、一端側が背面に固定され、他端側が鉛直上方へ
延設された一対のフック５００４，５００４が取り付けられている。一方、基板ベース９
０００における遮蔽板５０００ｄとの対向面には、各フック５００４，５００４を鉛直方
向へ挿入可能な開口９００３ａ，９００３ａを有する受け部９００３，９００３が一対形
成されている。
【０１９４】
かかる構成により、各フック５００４，５００４を各受け部９００３，９００３の開口
９００３ａ，９００３ａに挿入させつつ、基板ベース９０００を遮蔽板５０００ｄの背面
に装着させる。すると、受け部９００３，９００３の開口９００３ａ，９００３ａに挿入
されたフック５００４，５００４は、遮蔽板５０００ｄの背面に固定された部位にて、受
け部９００３，９００３の開口縁部に干渉して互いに係合する。この際、基板ベース９０
００は、制御基板９１００〜９３００による重みにより、鉛直下方へ重力が加わるため、
フック５００４，５００４が受け部９００３，９００３の開口９００３ａ，９００３ａか
ら抜けにくく、また、脱着が容易となる。
【０１９５】
同様の観点から、基板ベース９０００の側にフックを設け、遮蔽板５０００ｄの側に受
け部を設けることも可能である。かかる構成により、上述した場合と同様に、受け部の開
口にフックを挿入して互いを係合させると、基板ベース９０００の脱着が容易となり、ま
た、基板ベース９０００が遮蔽板５０００ｄから容易に脱落することがない。
【０１９６】
また、図２における基板ベース９０００の左端と遮蔽板５０００ｄとの間には、図２９
に示すように、ストッパ構造が形成されている。
【０１９７】
同図において、基板ベース９０００の角部には、貫通孔９０２０，９０２０がそれぞれ
設けられており、各貫通孔９０２０には、図３０に示すストッパ部材９０２１が挿通され
ている。このストッパ部材９０２１は、一端側にノブ９０２１ａ１を有する軸ピン９０２
１ａと、軸孔に軸ピン９０２１ａが挿通される円筒形状の可撓性部材９０２１ｂとから構
成される。なお、軸ピン９０２１ａの他端側は、先端に向けて外径が徐々に広くなるよう
に形成されている。また、この他端側先端およびノブ９０２１ａ１の外径は、貫通孔９０
２０の径よりも大きいため、当該ストッパ部材９０２１が貫通孔９０２０から抜け落ちる
ことはなく、常に基板ベース９０００に装着された状態となっている。
【０１９８】
一方、遮蔽板５０００ｄの側には、同図に示すように、板材をコの字形状に屈曲させて
基辺に貫通孔５０１１を設けた受け部材５０１０が取り付けられている。
【０１９９】
この貫通孔５０１１の径は、軸ピン９０２１ａの他端側先端の外径よりも僅かに広く形
成されており、この貫通孔５０１１が形成された基辺は、本体枠２０００の背面から離間
させつつ支持されている。なお、上記説明では、遮蔽板５０００ｄに受け部材５０１０を
取り付けているが、本体枠２０００の側壁２１００に貫通孔を設けた舌片を形成し、受け
部材を本体枠２０００と一体的に構成することも可能である。
【０２００】
かかる構成により、ストッパ部材９０２１を他端側先端から受け部材５０１０の貫通孔
５０１１に挿入すると、軸ピン９０２１ａと可撓性部材９０２１ｂとが貫通孔５０１１に
挿通される。ここで、軸ピン９０２１ａを貫通孔５０１１から引き抜こうとすると、図３
１に示すように、可撓性部材９０２１ｂだけが貫通孔５０１１に挿通された状態で残るた
め、軸ピン９０２１ａの他端側先端の形状に沿って可撓性部材９０２１ｂの開口縁部が貫
通孔５０１１の開口縁部に向けて撓められる。このため、可撓性部材９０２１ｂを介して
軸ピン９０２１ａの他端側先端が貫通孔５０１１の開口縁部に係合され、基板ベース９０
００が本体枠２０００の背面にて係合し、基板ベース９０００の開閉が不能となる。
【０２０１】
また、このようにロックされた状態にあるとき、軸ピン９０２１ａを再び本体枠２００
０に向けて押し込んで、軸ピン９０２１ａと可撓性部材９０２１ｂをともに引き抜こうと
すると、形状が復元した可撓性部材９０２１ｂも軸ピン９０２１ａとともに貫通孔５０１
１から退避するため、今度は軸ピン９０２１ａの他端側先端が貫通孔５０１１を通過して
引き抜かれる。従って、基板ベース９０００のロックが解除され、開閉が許容される。
【０２０２】
なお、本実施形態では、ストッパ構造を採用しているが、かかる構成は一例にすぎず、
基板ベースの開閉を規制することができれば良いとの観点から、図３２に示す構成を採用
することも可能である。
【０２０３】
すなわち、遮蔽板５０００ｄの側に凸部５００５を形成する。この凸部５００５の上面
は、遮蔽板５０００ｄの背面から離間する側に向けて徐々に下方へ傾斜する傾斜面５００
５ａを有している。一方、基板ベース９０００の側には、凸部５００５を収容可能な凹部
９００４を設ける。この凹部９００４は、幅と奥行きが凸部５００５と同等であるととも
に、高さ方向への幅が凸部５００５の付け根部位と同等である。また、開口の上端におけ
る高さが凸部５００５の先端付近における上面位置と一致するように、設けられている。
【０２０４】
かかる構成により、基板ベース９０００を遮蔽板５０００ｄの側へ近接させ、凹部９０
０４に凸部５００５を押し込ませていくと、凹部９００４の開口上端が凸部５００５の上
面に乗り上げていき、図３３に示すように、凹部９００４に凸部５００５が収容される。
【０２０５】
この際、基板ベース９０００には、制御基板９１００〜９３００が装着されているため
、これらの制御基板９１００〜９３００の重みにより凹部９００４の上面が凸部５００５
の上面を鉛直下方へ押圧する。従って、凸部５００５は、凹部９００４から容易に抜けな
くなり、基板ベース９０００の開閉が規制される。このとき、凹部９００４は、凸部５０
０５に係合されているわけではないため、図２における基板ベース９０００の左端を手前
を引っ張れば、凸部５００５が凹部９００４から引き抜かれ、基板ベース９０００の開閉
が許容される。
【０２０６】
むろん、上述したストッパ構造と併用することも可能であり、より確実に基板ベース９
０００を本体枠２０００の背面位置にロックさせておくために有用な手法となる。
【０２０７】
上述したように、基板ベース９０００には、制御基板９１００〜９３００が収容されて
いるが、これらの制御基板９１００〜９３００は、図３４に示すように、矩形筺状の基板
ボックス９１１０，９２１０，９３１０にそれぞれ収容されている。このため、基板ベー
ス９０００は、これらの基板ボックス９１１０，９２１０，９３１０を保持可能な構造を
有している。
【０２０８】
例えば、制御基板９１００について説明すると、基板ベース９０００には、基板ボック
ス９１１０の外形寸法よりも僅かに広い高さ、左右幅および奥行きを有する収容スペース
９０３０が形成されている。また、収容スペース９０３０の開口縁部には、肉厚方向へ可
撓性を有する可撓片９０３１が一体的に設けられており、この可撓片９０３１には、同肉
厚方向へ係合孔９０３１ａが形成されている。
【０２０９】
一方、基板ボックス９１１０の外壁面には、収容スペース９０３０に収容された際、係
合孔９０３１ａに挿入可能な半球形状の係合突起９１１１が一体的に形成されている。
【０２１０】
かかる構成により、基板ボックス９１１０を収容スペース９０３０に挿入すると、基板
ボックス９１１０は、収容スペース９０３０の内壁面に沿って奥方へ誘導される。この際
、収容スペース９０３０の開口縁部に設けられた可撓片９０３１は、図３５に示すように
、係合突起９１１１が当接すると、基板ボックス９１１０から離間する方向へ撓む。そし
て、収容スペース９０３０に基板ボックス９１１０が収まった時点で、図３６に示すよう
に、係合突起９１１１が係合孔９０３１ａに収容されるため、可撓片９０３１に加わる押
圧力が解消されて可撓片９０３１が基板ボックス９１１０の側へ復帰する。
【０２１１】
なお、基板ボックス９１１０を収容スペース９０３０から取り出す際には、係合突起９
１１１の半球面に沿って係合孔９０３１ａの周縁が誘導されるため、基板ボックス９１１
０を引き出すだけで容易に収容スペース９０３０から引き抜くことができる。
【０２１２】
このため、制御基板９１００を基板ベース９０００から取り外して修理したり、点検す
る際の作業性が大幅に向上する。なお、図３４に示す基板ボックス９２１０，９３１０を
収容するための収容スペース９０４０，９０５０についても同様である。
【０２１３】
図３４では、制御基板９１００を水平方向から挿入しているが、収容スペース９０４０
，９０５０と同様に、収容スペース９０３０の開口を上方へ配向させても良い。このよう
に、開口を上方へ配向させると、制御基板９１００の重みがあるため、収容スペース９０
３０との間に係合構造を設けなくても脱落のおそれがなくなる。同様の観点から、同図の
収容スペース９０４０，９０５０における係合構造を省略することも可能である。
【０２１４】
ここで、基板ベース９０００の各収容スペース９０３０，９０４０，９０５０における
各制御基板９１００〜９３００の収容場所は、あらかじめ決められている。
【０２１５】
すなわち、基板ベース９０００に配置される電源基板９１００、払い出し基板９２００
および発射基板９３００の各基板ボックス９１１０，９２１０，９３１０は、図３４に示
すように、それぞれに大きさも形状も異なっている。このため、電源基板９１００は、ヒ
ンジに最も近い位置に収容させることしかできず、同様に、払い出し基板９２００は中央
に、発射基板９３００はヒンジから最も離れた位置にしか収容できないように、各収容ス
ペース９０３０，９０４０，９０５０の広さや形状があらかじめ決まっている。
【０２１６】
ここで、各制御基板９１００〜９３００の重量を比較すると、トランスなどが実装され
た電源基板９１００が最も重く、払い出し基板９２００、発射基板９３００の順に軽くな
る。
このため、ヒンジに最も近い位置に最も重い制御基板９１００が収容され、ヒンジから最
も離れた位置に最も軽い制御基板９３００が配置される。従って、開閉時に最も移動距離
の長いヒンジから離れた部位を軽量化させることで、ヒンジに加わる負荷を低減させるこ
とが可能となる。
【０２１７】
本実施形態では、電源基板９１００、払い出し基板９２００および発射基板９３００を
収容する各基板ボックス９１１０，９２１０，９３１０の大きさや形状が相違しているた
め、各収容スペース９０３０，９０４０，９０５０の広さや形状を変化させることで各制
御基板９１００〜９３００の収容場所を限定させているが、かかる構成は一例にすぎない
ため、各基板ボックス９１１０，９２１０，９３１０の大きさや形状が同等である場合な
どには、制御基板の種類に応じてそれぞれ割り当てられた凹凸形状を設けて収容場所を限
定させても良い。
【０２１８】
例えば、図３７に示すように、電源基板９１００の収容スペース９０３０に断面三角形
状のレール９０３２を設け、電源基板９１００の基板ボックス９１１０に断面三角形状の
スリット９１１２を設ける。
【０２１９】
そして、例えば、払い出し基板９２００の収容スペース９０４０に断面半円形状のレー
ルを設け、払い出し基板９２００の基板ボックス９２１０に断面半円形状のスリットを設
ける。すると、各スリットとレールの形状が一致しない限り、各制御基板を収容スペース
に挿入することができないため、自ずと各制御基板９１００〜９３００の配置順が限定さ
れることとなる。
【０２２０】
また、各基板ボックス９１１０，９２１０，９３１０の外壁面に導電端子が設けられ、
各収容スペース９０３０，９０４０，９０５０の内壁面に設けられた導電端子との導通接
続が必要である場合などには、図３４に示す係合構造や、図３７に示すスリットおよびレ
ールを利用して挿入方向を一定に決めることができれば、確実に端子どうしを導通接続さ
せることができるため、この点においても有用となる。
【０２２１】
以上のように、電源基板９１００、払い出し基板９２００および発射基板９３００を基
板ベース９０００に配置させる一方、遊技板３０００の背面には、図２および図２１に示
すように、メイン基板３５００、音声基板３６００およびランプ基板３７００などを配置
している。
【０２２２】
ここで、基板ベース９０００に配置される各制御基板９１００〜９３００は、機種によ
って機能が異なることのない遊技機として普遍的な制御を行うための制御基板であって、
台替えごとに交換する必要がないものである。一方、遊技板３０００の背面に配置される
各制御基板３５００〜３７００は、機種ごとに異なる抽選制御、役物の駆動制御、ランプ
の明滅パターン制御、音声出力制御などを行う制御基板であって、台替えことに交換が必
要となるものである。
【０２２３】
従って、基板ベース９０００は、台替え時に交換する必要がない制御基板９１００〜９
３００を寄せ集めて収容することができるため、本体枠２０００に対して開閉させる必要
もなければ、本体枠２０００から取り外す必要もない。このため、台替え時の作業性を向
上させるために有利となる。また、本体枠２０００に軸支される図２における右端側にて
、制御基板９１００〜９３００を本体枠２０００側に配線接続すると、基板ベース９００
０の開閉時に配線が邪魔にならず、台替え時の作業性が一層向上する。
【０２２４】
遊技板３０００の背面に配置された制御基板３５００〜３７００は、遊技板３０００を
取り外す際、遊技板３０００とともに本体枠２０００から取り外されてしまうため、制御
基板ごとに取り外す必要がなくなる。同様に、新機種の遊技板３０００を取り付けるにあ
たっても、制御基板ごとに本体枠２０００に取り付けなくても、遊技板３０００の背面に
あらかじめ取り付けておくことができるため、この点においても台替え時の作業性向上に
有利となる。
【０２２５】
さらに、各制御基板３５００〜３７００は、遊技板３０００に設けられた液晶ディスプ
レイや役物などとケーブルを介してコネクタ接続されている。このため、コネクタを脱着
する頻度が低減され、コネクタの寿命を延ばすことが可能となる。また、各制御基板３５
００〜３７００と遊技板３０００に設けられた液晶ディスプレイや役物などとの距離が近
づくため、ケーブルを短縮させることが可能となる。
【０２２６】
ところで、基板ベース９０００に配置された制御基板９１００〜９３００は、周囲で発
生するノイズの影響を受けることにより、正常な制御が妨げられることがある。そこで、
基板ベース９０００は、制御基板９１００〜９３００をノイズから保護可能な構造を有し
ている。
【０２２７】
すなわち、図３８に示すように、基板ベース９０００は、概略断面コの字形状に形成さ
れており、同図における基辺に沿って上述した収容スペース９０３０，９０４０，９０５
０が設けられている。このため、基板ベース９０００が本体枠２０００の背面に固定され
た際、制御基板９１００〜９３００の収容スペース９０３０，９０４０，９０５０と遮蔽
板５０００ｄとの間に空洞Ａが形成される。すると、遮蔽板５０００ｄの前方では、遊技
球が通過することでノイズが発生するが、空洞Ａによりノイズが減衰されるため、基板ベ
ース９０００に配置された制御基板９１００〜９３００への影響が抑制される。
【０２２８】
同様に、制御基板９１００〜９３００におけるノイズの影響を抑制するため、基板ベー
ス９０００は、導電材によりコーティングされている。このため、基板ベース９０００自
体が周囲で発生するノイズを遮蔽し、内部に保持する制御基板９１００〜９３００をノイ
ズから保護する。この場合、基板ベース９０００自体をアルミなどの金属により構成して
も同様の効果を得ることができる。
【０２２９】
このように、基板ベース９０００を導電材によりコーティングすると、基板ベース９０
００自体が接地部材となるため、各制御基板９１００〜９３００に設けられた接地端子を
基板ベース９０００に接続するだけで接地させることが可能となる。
【０２３０】
（８）セット板の説明：
図２および図２１に示すように、セット板８０００は、遊技板３０００の背面側に取り
付けられている。
【０２３１】
このセット板８０００は、図３９に示すように、遊技板３０００に配置された液晶ディ
スプレイや制御基板などを背面側から覆うカバーとしての役割を果たすカバー部８１００
と、カバー部８１００の上方および右方に遊技球の流路を形成する流路部８２００とから
構成されている。
【０２３２】
カバー部８１００は、前面側に開口を有する矩形筺体により構成されており、メイン基
板３５００が取り付けられた部位を除いて遊技板３０００を背面側から覆っている。
【０２３３】
また、流路部８２００は、カバー部８１００と一体的に形成され、カバー部８１００の
上方では、遊技球タンク８２１０を装着するためのスペースを備え、このスペースに装着
された遊技球タンク８２１０から供給される払い出し球を流路板５０００の前面側に形成
された上皿用流路と下皿用流路とに向けて流下させるための流路８２２０を備えている。
【０２３４】
このように、遊技球タンク８２１０をセット板８０００に取り付けているため、本体枠
２０００の背面上部に遊技球タンク８２１０を取り付けるためのスペースを設ける必要が
ない。従って、遊技球タンク８２１０の取付スペース分だけ遊技板３０００を上方へ大き
く形成することができるため、遊技領域の拡大も容易となる。
【０２３５】
流路部８２００に設けられた流路８２２０の途中には、払い出し球をカウントして所定
数の遊技球を上皿用流路と下皿用流路とに供給する計数カウンタ８２３０が設けられてい
る。また、計数カウンタ８２３０の下流側では、遮蔽板５０００ｄの貫通孔５０００ｄ２
に連通する上皿側流路８２２１と、貫通孔５０００ｄ１に連通する下皿用流路８２２２と
に分岐されている。
【０２３６】
この流路の分岐点においては、平常時、計数カウンタ８２３０の設置場所から下流側へ
延設される上皿側流路８２２１に沿って払い出し球が流下する。しかし、上皿６３００に
払い出し球が貯まって上皿６３００に連通する上皿側流路に遊技球が満たされた場合、上
皿側流路８２２１に向けて流下させることができなくなる。
【０２３７】
このため、上皿側流路８２２１と下皿用流路８２２２との間に設けられた敷居８２２３
を乗り越え、上皿側流路８２２１の脇へ分岐される下皿用流路８２２２に向けて払い出し
球が流下し始める。このように、流路部８２００は、上皿６３００に供給する遊技球と下
皿７０００に供給する遊技球とを分流させる分流路としての機能も備えている。
【０２３８】
なお、セット板８０００は、上述した基板ベースと同様に、導電材によりコーティング
されているため、接地部材としての機能を有する。このため、遊技板３０００の背面に取
り付けられた各制御基板の接地端子を接続するだけで接地させることが可能となる。また
、本実施形態では、基板ベース９０００とセット板８０００とを別個に形成しているため
、例えば、セット板８０００における導電材のコーティングを複数の部位に分けなくても
、基板ベース９０００における制御基板９１００〜９３００の接地とセット板８０００に
おける遊技板３０００や流路などの接地とを分けて行うことができる点で有利となる。
【０２３９】
また、上述した上皿側流路８２２１と下皿用流路８２２２との一部を基板ベース９００
０に設けることも可能である。
【０２４０】
すなわち、貫通孔５０００ｄ２，５０００ｄ１と、上皿側流路８２２１および下皿用流
路８２２２の各下端開口とがそれぞれに離間されつつ配置される場合、図４０に示すよう
に、貫通孔５０００ｄ２，５０００ｄ１と流路８２２１，８２２２の下端開口とを互いを
連通させるための中継流路９０６０，９０７０を基板ベース９０００に設けても良い。
【０２４１】
すると、個別に連通路部材を設ける必要がないため、部品点数の削減が可能となる点で
有用となる。また、遮蔽板５０００ｄにおける貫通孔５０００ｄ２，５０００ｄ１の位置
を容易に変更することができるため、設計時の自由度を高めることが可能となる点におい
ても有用となる。
【０２４２】
また、基板ベース９０００に中継流路を設ける場合、必ずしもセット板８０００の側で
払い出し球を上皿側流路８２２１と下皿用流路８２２２とに分流させておく必要はないた
め、基板ベース９０００の側に敷居を設けて分流させることも可能である。
【０２４３】
すなわち、図４１に示すように、セット板８０００に設けられた流路８２２０の下流を
基板ベース９０００に設けられた流路９０８０の入口９０８１に連通させる。そして、流
路９０８０の下流側を貫通孔５０００ｄ２に連通させ、流路９０８０の途中に貫通孔５０
００ｄ１に連通する分岐流路９０８２を設ける。この際、上述したセット板８０００にお
ける流路８２２０と同様に、流路９０８０と分岐流路９０８２との間に敷居９０８３を形
成しておく。
【０２４４】
すると、上皿６３００に払い出し球が貯まって上皿６３００に連通する上皿側流路に遊
技球が満たされた場合、払い出し球は、敷居９０８３を乗り越えて分岐流路９０８２に向
けて流下する。従って、基板ベース９０００に分流路としての機能を持たせることも可能
となり、流路設計を行う際の自由度を一層高めることができる。
【０２４５】
以上のような構造を有するセット板８０００は、上述した基板ベース９０００の場合と
同様に、支持部２１１０，２１１０を利用することにより、図２における右端にて本体枠
２０００に支持されるため、容易に脱着することが可能である。
【０２４６】
基板ベース９０００とセット板８０００とを別個に形成し、それぞれにヒンジを設けて
開閉可能とすると、遊技板３０００の交換を行うたびに開閉が必要となるセット板８００
０は、制御基板が配置されていない分だけ軽量となり、遊技板３０００の交換時に開閉の
必要がない基板ベース９０００だけが相対的に重くなる。このため、開閉が行われる頻度
の高いセット板８０００に設けられたヒンジに加わる負荷を低減させることが可能な点で
有用となる。
【０２４７】
また、図２に示すように、セット板８０００の左端には、ストッパ部材８０１０が取り
付けられており、このストッパ部材８０１０を用いて上述した基板ベース９０００と同様
に、遊技板３０００との間にストッパ構造を形成している。むろん、本体枠２０００との
間にストッパ構造を形成することも可能である。
【０２４８】
ここで、セット板８０００には、同図に示すように、上端中央にも同様にストッパ部材
８０１０が取り付けられてストッパ構造を形成している。これは、遊技球タンク８２１０
が取り付けられており、遊技機島から供給される遊技球を遊技球タンク８２１０により受
け止める必要があるからである。このように、遊技球タンク８２１０の周囲をストッパ構
造により本体枠２０００の側にロックさせると、セット板８０００の耐久性を維持させら
れる点で有用となる。
【０２４９】
（９）メイン基板の説明：
図２および図２１に示すように、セット板８０００がメイン基板３５００を除く遊技板
３０００の背面を覆い、メイン基板３５００を覆っていないのは、セット板８０００を遊
技板３０００に対してロックさせているとき、メイン基板３５００を背面側から目視でき
るようにするためである。すなわち、上述したように、導電材でコーティングされたセッ
ト板８０００によりメイン基板３５００を覆い隠してしまうと、メイン基板３５００の点
検を行うたびに、セット板８０００を開閉させならない。しかし、かかる構成を採用した
ことにより、セット板８０００の開閉頻度が低減されるため、ヒンジに加わる負荷を低減
させることが可能となり、また、遊技ホールにおける点検時の作業効率を著しく向上させ
ることができる。
【０２５０】
さらに、本実施形態にかかるＬ枠遊技機では、遊技領域が拡大されることにより、従来
に比べて多くの機能を持たせることが可能となるため、これに伴ってメイン基板３５００
で処理すべき制御が複雑化して基板数の増加などが必要となる。すると、メイン基板３５
００を収容する基板ボックスが大型化し、背面側へ厚みを持たせざるを得ない場合を生じ
得るが、基板ボックスの厚みがカバー部８１００の奥行き寸法により制約を受けないため
、メイン基板３５００を設計する上で自由度が高まるという利点もある。
【０２５１】
同様の観点から、周囲で発生するノイズからメイン基板３５００をより確実に保護しよ
うと試みる場合、基板ボックスに厚みを持たせることで基板ボックス内部に空洞を設けて
遊技球の流路から基板を離間配置させたり、基板ボックスを肉厚にするなどの工夫が必要
になっても、カバー部８１００の奥行き寸法による制約を受けることがない。
【０２５２】
（１０）音声基板とランプ基板の説明：
遊技板３０００の背面には、図２および図２１に示すように、音声基板３６００および
ランプ基板３７００が装着されているが、これらの制御基板３６００，３７００と遊技板
３０００との間には、図４２に示すような取付構造が設けられている。
【０２５３】
同図において、音声基板３６００とランプ基板３７００とは、上述した各種制御基板９
１００〜９３００などと同様に、同形状で構成された矩形筺状の基板ボックス３６１０，
３７１０にそれぞれ収容されている。
【０２５４】
ここで、基板ボックス３６１０，３７１０の間には、図４３に示すような係合構造が設
けられている。すなわち、基板ボックス３６１０の側面には、係合ピン３６２０が突設さ
れており、この係合ピン３６２０の先端は、係合ピン３６２０の外径よりも大きな径を有
する円盤形状の係合部３６２１が一体的に形成されている。一方、基板ボックス３７１０
の側面には、係合部３６２１を挿通可能な円形状の挿入部３７２１と、挿入部３７２１と
一体的に形成されて係合ピン３６２０の外径よりも広く、係合部３６２１の外径よりも狭
い係合部３７２２とを有する係合溝３７２０が設けられている。
【０２５５】
なお、係合部３７２２の奥方は、挿入部３７２１と同等の幅で空洞が形成されており、
また、基板ボックス３６１０の上端から係合ピン３６２０までの距離と、基板ボックス３
７１０の上端から係合部３７２２までの距離とが同等となるように係合溝３７２０が設け
られている。
【０２５６】
かかる構成により、係合部３６２１を挿入部３７２１の奥方へ挿入して係合部３６２１
を係合部３７２２の側へ移動させると、係合ピン３６２０が係合部３７２２に挿通され、
係合部３６２１が奥方にて係合部３７２２の周縁部位により係合されるため、基板ボック
ス３６１０，３７１０が互いに係合されて矩形筺状となる。この際、係合ピン３６２０と
係合溝３７２０とは、各制御基板３６００，３７００の基板面との対向位置に配設される
ため、互いの基板面を対向させつつ組み合わされる。
【０２５７】
ここで、図４２に示すように、背面側に開口を有する矩形筺状の取付基台３０１０に対
し、一体化された基板ボックス３６１０，３７１０を圧入する。そして、取付基台３０１
０の開口には、矩形筺状のカバー３０１１の開口縁部が圧入される。このため、各基板ボ
ックス３６１０，３７１０は、カバー３０１１により背面側から覆われることとなる。
【０２５８】
また、取付基台３０１０の前面側には、遊技板３０００の背面に向けて突出して先端が
遊技板３０００の背面に平行となる方向へ延設された断面Ｔ字形状のガイド部３０１２が
形成されている。一方、遊技板３０００の背面には、ガイド部３０１２の先端部位を収容
可能な一対のガイド溝３０１０ａ，３０１０ａが水平方向に並設されており、各ガイド溝
３０１０ａ，３０１０ａは、下端にて一体化されている。
【０２５９】
かかる構成により、ガイド部３０１２の先端部位を各ガイド溝３０１０ａ，３０１０ａ
に挿入し、ガイド溝３０１０ａ，３０１０ａに沿ってガイド部３０１２を鉛直下方へ誘導
させていくと、ガイド部３０１２がガイド溝３０１０ａ，３０１０ａの下端に突き当たる
。すると、ガイド部３０１２とガイド溝３０１０ａ，３０１０ａとが互いに係合され、各
基板ボックス３６１０，３７１０が装着された取付基台３０１０は、遊技板３０００に対
して強固に支持される。
【０２６０】
従って、音声基板３６００とランプ基板３７００とをコンパクトにまとめて配置するこ
とが可能となり、遊技板３０００の背面におけるスペースを有効利用することができる。
特に、Ｌ枠遊技機においては、従来のＬ枠遊技機に比べて遊技板３０００の背面に配置す
べき構成が大型化したり、数が増えるため、基板配置にかかる省スペース化が有用となる
。
【符号の説明】
【０２６１】
１０００…金属製外枠
１０００ａ，１０００ａ１，１０００ｂ…開口
１１００…金属板
１１００ａ…支持板 
１１００ａ１…軸支孔 
１２００…金属板 
１３１０〜１３５０…樹脂製カバー 
２０００…本体枠 
２１００…側壁
２１１０…支持部
２１１１…軸支孔 
２１２０…支持部 
２１２１…軸支孔 
２１３０…係合溝 
２１４０…取付板 
２１４１…取付孔 
２１４１ａ…軸支ピン
２１４１ｂ…ナット部材
２２００…本体部
２２００ａ…開口
２２００ｂ…係合孔
２２１０，２２２０…支持部
２２２１…軸支孔
２２３０…支持部
２２３１…取付孔
２３００…載置面
２４１０〜２４５０…樹脂製カバー
２４５１…スリット
２５００…舌片
２６００…側壁部材
２６１０…係合突起
３０００…遊技板
３０１０…取付基台
３０１０ａ…ガイド溝
３０１１…カバー
３０１２…ガイド部
３１００…遊技領域
３１２０…係合部
３２００…外枠レール
３２１０…分岐レール
３３００…内側レール
３４００…ロック片
３４１０…回転軸
３４２０…係合部
３５００…メイン基板
３６００…音声基板
３６１０…基板ボックス
３６２０…係合ピン
３６２１…係合部
３７００…ランプ基板
３７１０…基板ボックス
３７２０…係合溝
３７２１…挿入部
３７２２…係合部
４０００…発射機構
４０００ａ…幅広部
４０００ｂ…幅狭部
４１００…発射ハンドル
４２００…軸孔
４３００…取込口
４４００…発射口
５０００…流路板
５０００ａ，５０００ｂ…貫通孔
５０００ｃ…遮蔽板
５０００ｃ１〜５０００ｃ３…貫通孔
５０００ｄ…遮蔽板
５０００ｄ１〜５０００ｄ３…貫通孔
５００１…ガイド部材
５００１ａ…先端部位
５００１ｂ…下端部位
５００２…ガイド部材
５００２ａ…ガイド溝
５００３…ガイド部材
５００３ａ…ガイド突起
５００４…フック
５００５…凸部
５００５ａ…傾斜面
５０１０…受け部材
５０１１…貫通孔
５１００，５１１０…仕切り板
５２００〜５７００…仕切り板
６０００…前面枠
６０００ａ…取付部材
６０００ａ１…軸支ピン
６１００…ガラス枠
６２００…装飾ランプ
６３００…上皿
７０００…下皿
７０００ａ…取付部材
７０００ａ１…取付ピン
７１００…軸孔
８０００…セット板
８０１０…ストッパ部材
８１００…カバー部
８２００…流路部
８２１０…遊技球タンク
８２２０…流路
８２２１…上皿側流路
８２２１，８２２２…流路
８２２２…下皿用流路
８２２３…敷居
８２３０…計数カウンタ
９０００…基板ベース
９００１…ガイド突起
９００２…ガイド溝
９００３…受け部
９００３ａ…開口
９００４…凹部
９０１０…取付部材
９０１１…軸支ピン
９０２０…貫通孔
９０２１…ストッパ部材
９０２１ａ…軸ピン
９０２１ａ１…ノブ
９０２１ｂ…可撓性部材
９０３０…収容スペース
９０３１…可撓片
９０３１ａ…係合孔
９０３２…レール
９０４０，９０５０…収容スペース
９０６０，９０７０…中継流路
９０８０…流路
９０８１…入口
９０８２…分岐流路
９０８３…敷居
９１００…電源基板
９１１０…基板ボックス
９１１１…係合突起
９１１２…スリット
９２００…払い出し基板
９２１０…基板ボックス
９３００…発射基板
９３１０…基板ボックス
【図１】
2010214154.tif 000003
【図２】
2010214154.tif 000004
【図３】
2010214154.tif 000005
【図４】
2010214154.tif 000006
【図５】
2010214154.tif 000007
【図６】
2010214154.tif 000008
【図７】
2010214154.tif 000009
【図８】
2010214154.tif 000010
【図９】
2010214154.tif 000011
【図１０】
2010214154.tif 000012
【図１１】
2010214154.tif 000013
【図１２】
2010214154.tif 000014
【図１３】
2010214154.tif 000015
【図１４】
2010214154.tif 000016
【図１５】
2010214154.tif 000017
【図１６】
2010214154.tif 000018
【図１７】
2010214154.tif 000019
【図１８】
2010214154.tif 000020
【図１９】
2010214154.tif 000021
【図２０】
2010214154.tif 000022
【図２１】
2010214154.tif 000023
【図２２】
2010214154.tif 000024
【図２３】
2010214154.tif 000025
【図２４】
2010214154.tif 000026
【図２５】
2010214154.tif 000027
【図２６】
2010214154.tif 000028
【図２７】
2010214154.tif 000029
【図２８】
2010214154.tif 000030
【図２９】
2010214154.tif 000031
【図３０】
2010214154.tif 000032
【図３１】
2010214154.tif 000033
【図３２】
2010214154.tif 000034
【図３３】
2010214154.tif 000035
【図３４】
2010214154.tif 000036
【図３５】
2010214154.tif 000037
【図３６】
2010214154.tif 000038
【図３７】
2010214154.tif 000039
【図３８】
2010214154.tif 000040
【図３９】
2010214154.tif 000041
【図４０】
2010214154.tif 000042
【図４１】
2010214154.tif 000043
【図４２】
2010214154.tif 000044
【図４３】
2010214154.tif 000045